(57)【特許請求の範囲】
【請求項１】
原稿の内のカラー原稿部分と白黒原稿部分について、インサータを有する他の画像形成装置と分担して出力する画像形成装置であって、
原稿がカラー原稿であるか白黒原稿であるかを判別する原稿判別手段と、
前記原稿判別手段の判別結果に基づき前記原稿の内のカラー原稿および白黒原稿のいずれか一方の原稿の画像をシート上に形成する画像形成手段と、
前記カラー原稿および白黒原稿の内のいずれか一方の原稿を指定し、該指定された原稿の画像を形成したシートを前記他の画像形成装置に設けられた前記インサータにセットすべきインサート紙として出力するインサータ出力モードを設定するモード設定手段と、
前記設定されたインサータ出力モードを実行するモード実行手段と、
前記他の画像形成装置に設けられたインサータのトレイ数情報を入力する入力手段とを備え、
前記モード設定手段は、前記入力手段により入力されたインサータのトレイ数情報に応じて前記インサータ出力モードにおける前記画像形成手段により像形成すべきシートの出力部数を設定することを特徴とする画像形成装置。
【請求項２】
前記モード設定手段により、前記カラー原稿が指定されたインサータ出力モードが設定されると、前記モード実行手段は、前記原稿の内の前記カラー原稿のページのみをシート上に形成するように前記画像形成手段を制御することを特徴とする請求項１記載の画像形成装置。
【請求項３】
前記モード設定手段により、前記白黒原稿が指定されたインサータ出力モードが設定されると、前記モード実行手段は、前記原稿の内の前記白黒原稿のページのみをシート上に形成するように前記画像形成手段を制御することを特徴とする請求項１記載の画像形成装置。
【請求項４】
前記インサータ出力モードにより出力されたシートを積載する積載手段を備え、前記モード実行手段は、前記設定された出力部数分のシート上に対応する原稿の画像を形成し、該シートを１部毎に前記積載手段に出力することを特徴とする請求項１記載の画像形成装置。
【請求項５】
前記モード設定手段は、前記インサート紙として出力されたシートを前記積載手段の各ビンにページ順に振り分けて出力する第１の排紙モードと、前記インサート紙として出力されたシートを部数順に前記積載手段の各ビンに振り分けて出力する第２の排紙モードとのいずれか一方の排紙モードを含むインサータ出力モードを設定することを特徴とする請求項１記載の画像形成装置。
【請求項６】
前記原稿がカラー原稿であるか白黒原稿であるかを判別する原稿判別手段を備え、前記原稿読取手段は、前記原稿判別手段の判別結果に基づき前記原稿の内のカラー原稿、白黒原稿のいずれか一方の原稿のみを読み取ることが可能であり、前記モード設定手段による設定されるインサータ出力モードは、前記原稿読取手段により前記カラー原稿および白黒原稿のいずれか一方の原稿のみを読み取り、前記画像形成手段により前記読み取った一方の原稿の画像を前記シート上に形成し、該画像を形成したシートを前記インサート紙として出力するモードであることを特徴とする請求項５記載の画像形成装置。
【請求項７】
前記インサータ出力モードは、前記原稿読取手段により前記カラー原稿のみを読み取り、前記読み取ったカラー原稿の画像を形成したシートを前記インサート紙として出力するモードであることを特徴とする請求項６記載の画像形成装置。
【請求項８】
前記インサータ出力モードは、前記原稿読取手段により前記白黒原稿のみを読み取り、前記読み取った白黒原稿の画像を形成したシートを前記インサート紙として出力するモードであることを特徴とする請求項６記載の画像形成装置。
【請求項９】
前記モード設定手段は、前記読み取った原稿の枚数と前記インサータのトレイ数情報とに基づき前記第１の排紙モードを実行することが可能な否かを判定し、前記第１の排紙モードの実行が不可能なときには、前記第２の排紙モードを設定することを特徴とする請求項５記載の画像形成装置。
【請求項１０】
前記モード設定手段は、前記第１の排紙モードの実行が可能であるときには、前記第１および第２の排紙モードの両モードが実行可能であるか否かを判定し、前記第１および第２の排紙モードの両モードが実行可能であるときには、前記第２の排紙モードを優先的に設定することを特徴とする請求項９記載の画像形成装置。
【請求項１１】
前記モード設定手段は、前記第１の排紙モードの実行が可能であるときには、前記第１および第２の排紙モードの両モードが実行可能であるか否かを判定し、前記第１および第２の排紙モードの両モードが実行可能であるときには、前記第１の排紙モードを優先的に設定することを特徴とする請求項９記載の画像形成装置。
【請求項１２】
前記モード設定手段は、前記第１の排紙モードの実行が可能であるときには、前記第１および第２の排紙モードのいずれかを自動的に選択して設定することを特徴とする請求項９記載の画像形成装置。
【請求項１３】
シートに付加するためのマーク画像を保持する保持手段と、前記インサータ出力モードにより出力されるシートの内の１ページ目に対応するシートに前記マーク画像を付加するマーク付加手段を備えることを特徴とする請求項５記載の画像形成装置。
【請求項１４】
前記マーク付加手段は、前記保持手段に保持されたマーク画像と前記１ページ目に対応する原稿の画像とを合成し、この合成画像を前記１ページ目に対応するシート上に形成することを特徴とする請求項１３記載の画像形成装置。
【請求項１５】
前記マーク付加手段は、前記マーク画像を前記１ページ目に対応するシートの少なくとも１つの箇所に付加することを特徴とする請求項１４記載の画像形成装置。
【請求項１６】
前記マーク画像付加手段は、前記インサータのトレイ数情報に応じて前記マーク画像を付加する箇所およびその数を可変することを特徴とする請求項１５記載の画像形成装置。
【請求項１７】
前記マーク画像付加手段は、前記マーク画像を前記シートの余白領域に付加することを特徴とする請求項１３記載の画像形成装置。
【請求項１８】
前記インサータ出力モードは、前記設定された出力部数に対して１部枚数分のシートが出力される毎に、前記インサータ出力モードの実行を一時停止する処理を含むことを特徴とする請求項５記載の画像形成装置。
【請求項１９】
前記第２の排紙モードは、前記インサート紙として出力されるシートを部数単位で前記積載手段の各ビンに振り分けて出力するモードであることを特徴とする請求項５記載の画像形成装置。
【発明の詳細な説明】
【０００１】
【発明の属する技術分野】
本発明は、インサータにセットすべきインサート紙を出力する画像形成装置に関する。
【０００２】
【従来の技術】
最近、複写機などの画像形成装置において、インサータを有するものが提案されつつある。このインサータは、表紙や合紙や色紙、カラー画像が形成されたシート等を、インサート紙として、該インサータに積載し、画像形成装置から排紙された任意の用紙間にインサート紙を挿入するための装置であり、このインサータによる処理により、用紙間にインサート紙が挿入された用紙束が得られる。
【０００３】
【発明が解決しようとする課題】
しかし、例えば複数の原稿の中からインサート紙に対応する画像の原稿を選択し、画像形成装置によりこの選択した画像をインサート紙上に形成して作成する場合、まず、対応する画像の原稿を複数の原稿の中から選択する作業が必要であり、また、選択した原稿をインサータにセットする際の順番になるように並び替えるまたは画像形成装置から排紙されたインサート紙を並び替えるなどの作業が必要になる。その結果、インサータに適応したインサート紙の出力形態を得るには、非常に手間が掛る。
【０００４】
本発明は、手間を掛けずに、インサータに適応したインサート紙の出力を得ることができる画像形成装置を提供することを目的とする。
【０００５】
【課題を解決するための手段】
本発明は、上記目的を達成するため、原稿の内のカラー原稿部分と白黒原稿部分について、インサータを有する他の画像形成装置と分担して出力する画像形成装置であって、原稿がカラー原稿であるか白黒原稿であるかを判別する原稿判別手段と、前記原稿判別手段の判別結果に基づき前記原稿の内のカラー原稿および白黒原稿のいずれか一方の原稿の画像をシート上に形成する画像形成手段と、前記カラー原稿および白黒原稿の内のいずれか一方の原稿を指定し、該指定された原稿の画像を形成したシートを前記他の画像形成装置に設けられた前記インサータにセットすべきインサート紙として出力するインサータ出力モードを設定するモード設定手段と、前記設定されたインサータ出力モードを実行するモード実行手段と、前記他の画像形成装置に設けられたインサータのトレイ数情報を入力する入力手段とを備え、前記モード設定手段は、前記入力手段により入力されたインサータのトレイ数情報に応じて前記インサータ出力モードにおける前記画像形成手段により像形成すべきシートの出力部数を設定することを特徴とする。
【００５６】
【発明の実施の形態】
以下に、本発明の実施の形態について図面を参照しながら説明する。
【００５７】
（実施の第１形態）
図１は本発明の画像形成装置の実施の一形態の全体構成を示す模式図、図２は図１の画像形成装置の読取部に設けられている画像信号制御部の構成を示すブロック図である。本実施の形態では、画像形成装置として複写装置を例に説明する。
【００５８】
画像形成装置１０００は、図１に示すように、自動原稿給送部５１を搭載する読取部１０１、画像形成部１０２およびシート処理部１０３から構成される。
【００５９】
自動原稿給送部５１は、原稿積載トレイ５０にセットされた原稿ｐを原稿台ガラス７８上の読み取り位置に搬送した後、原稿排出部５０ａに排出する。この原稿排出部５０ａには、原稿が原稿積載トレイ５０にセットされたときと同様にページ順を維持したままの状態で排出される。
【００６０】
この自動原稿給送部５１には、原稿がカラー原稿であるか白黒原稿であるかを判別するための原稿判別センサ（図示せず）が設けられている。この原稿判別センサは、原稿積載トレイ５０から原稿台ガラス７８上の読み取り位置に至る搬送路途中に配置され、原稿ｐがこの位置を通過する際に判別する。また、読取部１０１は、読み取り位置に搬送された原稿ｐを照射するランプ７９、原稿ｐからの反射光をレンズ７５に導く反射ミラー７２，７３，７４を有し、レンズ７５は、反射光をＣＣＤラインセンサ（以下、ＣＣＤという）７６上に結像する。ＣＣＤ７６は、Ｒ（レッド），Ｇ（グリーン），Ｂ（ブルー）の各アナログ色信号を独立に得ることができるカラーセンサであって、結像された光像を各アナログ色信号に変換する。この各アナログ色信号はＡ／Ｄ変換器（図示せず）により８ビットのデジタル信号に変換されて画像信号制御部７７に入力される。
【００６１】
この画像信号制御部７７は、図２に示すように、ＣＣＤ７６からの各デジタル色信号Ｒ１，Ｇ１，Ｂ１を入力するシェーディング補正部３０１を有し、シェーディング補正部３０１は、各色毎にシェーディング補正を施す。このシェーディング補正が施された各色信号Ｒ２，Ｇ２，Ｂ２はシフトメモリ部３０２に入力され、シフトメモリ部３０２は、入力された各色信号に対して色間、画素間のずれを補正する。また、シフトメモリ部３０２は、変倍移動処理部３０９からの制御信号に基づき、入力された各色信号に対し、間引きや補間または移動を行い、変倍、移動処理を行うことが可能である。シフトメモリ部３０２で補正された各色信号Ｒ３，Ｇ３，Ｂ３は、色判定部３１０およびＬＯＧ変換部３０３に入力される。ＬＯＧ変換部３０３は、光濃度変換のための対数補正を行い、各色信号Ｒ３，Ｇ３，Ｂ３を各濃度信号Ｙ（イエロー），Ｍ（マゼンタ），Ｃ（シアン）に変換する。
【００６２】
各濃度信号Ｙ，Ｍ，Ｃは、黒生成部３０４に入力され、黒生成部３０４は各濃度信号Ｙ，Ｍ，Ｃに基づき濃度信号Ｂｋ（ブラック）を生成する。例えば、濃度信号ＢｋはＭｉｎ（Ｙ，Ｍ，Ｃ）により生成される。そして、各濃度信号Ｙ，Ｍ，Ｃ，Ｂｋはマスキング／ＵＣＲ部３０５に入力され、マスキング／ＵＣＲ部３０５は、入力された各濃度信号Ｙ，Ｍ，Ｃ，Ｂｋに対し、ＣＣＤ７６のフィルタ特性やトナー濃度特性の補正を行い、除去された後に４色の信号の中から現像されるべき１つの色信号が選択される。
【００６３】
選択された１つの色信号は濃度変換部３０７に入力され、濃度変換部３０７において画像形成部１０２の現像特性やオペレータの好みに合せて濃度変換された後に、トリミング処理部３０８に入力される。トリミング処理部３０８は、入力された信号に対して所定区間の編集処理を施し、この編集処理後の信号は画像形成部１０２に送られる。
【００６４】
色判定部３１０は、シフトメモリ部３０２から入力した各色信号に基づき一定レベル以上の有彩色を検出する。ここで、Ｒ，Ｇ，Ｂの各色信号比率が等しい場合、無彩色である。よって、Ｒ，Ｇ，Ｂの差が少ない場合は、無彩色と判定することができ、これにより、原稿が無彩色か有彩色を含んでいるかを判定することができる。
【００６５】
画像形成部１０２は、図１に示すように、異なるサイズの記録紙Ｓ（以下、シートＳという）を積載した複数の記録紙格納部５３，５４を搭載し、これら記録紙は記録紙給紙部５５，５６により給紙される。給紙されたシートＳはシート搬送路５７を介してシート搬送路５８へ搬送される。
【００６６】
また、画像形成部１０２は、画像信号制御部７７から出力されたデジタル信号に基づきレーザ光を反射ミラー６２を介して走査して感光体６０上に静電潜像を形成するレーザスキャナ６１を有する。感光体６０に形成された静電潜像を対応する色のトナーにより現像してトナー像として可視像化し、このトナー像を転写ドラム６４によりシート搬送路５８に搬送されたシートＳに転写するまでの処理を行う。ここで、感光体６０の静電潜像の現像には、回転現像器５９が用いられる。この回転現像器５９は、マゼンタ現像部６８、シアン現像部６６、イエロー現像部６９、ブラック現像部６７より構成され、各現像部は交互に感光ドラム６０上の静電潜像を現像するためのトナーを感光ドラム６０に対して供給する。転写ドラム６４にはシートＳが巻き付けられ、この巻き付けられたシートＳに感光ドラム６０上の現像された像が転写される。このようにして、Ｍ，Ｃ，Ｙ，Ｂｋの各色の現像剤像が順にシートＳに転写され、この各色の像が転写されたシートＳは搬送ベルト６３を経て定着ユニット７０に送られる。定着ユニット７０においては、シートＳ上の像がシートＳ上に定着される。
【００６７】
像が定着されたシートＳは、定着ユニット７０からフラッパ８０および排紙ローラ６５を経てシート処理部１０３にまたは両面パス８１に送られる。ここで両面パス８１は、一方の面に画像が形成されたシートＳをその画像形成面を反転して感光体６０に再度搬送するためのパスである。この両面パス８１にシートＳを導くことにより、一方の面に画像が形成されたシートＳの他方の面に画像を形成することができる。すなわち両面モードを実現することができる。
【００６８】
シート処理部１０３は、画像形成部１０２から排紙されたシートＳを取り込む入口搬送路１０と、入口搬送路１０に取り込まれたシートＳをフラッパ１１および排紙ローラ１２を経由してビンユニット５の積載トレイ３０に排紙するための搬送路２とを有し、入口搬送路１０には、シートＳを検知する検知センサ１６が設けられている。また、入口搬送路１０に取り込まれたシートＳを、フラッパ１１および搬送ローラ１３，１４，１５を経由してビンユニット５の所定の積載ビン３１に排紙することが可能である。搬送路１４と搬送ローラ１５との間には、ステイプルユニット６が配置され、このステイプルユニット６は、積載ビン３１に積載されたシート束を綴じる動作を行う。ビンユニット５は、上述したように、積載トレイ３０と、複数の積載ビン３１とを有し、各積載ビン３１は、上下方向に昇降動作し、この動作により排紙されたシートＳが対応する積載ビン３１に積載されることになる。また、各積載ビン３１上におけるシートＳの有無は検知センサ３２により検知可能に構成されている。
【００６９】
読取部１０１の上部には、読取部１０１、画像形成部１０２およびシート処理部１０３の動作設定や設定内容を確認するための操作部４０が設けられている。操作部４０は、設定内容を確認するための表示部、この表示部上に重ねて配置され画像形成動作の詳細設定やシート処理装置の動作設定などを行うためのタッチパネルキー、画像形成部数などの数値を設定するためのテンキー、画像形成動作を停止するためのストップキー、初期設定に戻すためのリセットキー、画像形成動作を開始するためのスタートキーなどを有する。この操作部４０の詳細構成については後述する。
【００７０】
次に、本画像形成システムの制御構成について図３を参照しながら説明する。図３は図１の画像形成装置の制御構成を示すブロック図である。
【００７１】
複写装置１０００においては、ＣＰＵ回路部２００が設けられている。ＣＰＵ回路部２００は、中央処理演算装置（以下、ＣＰＵという)２００２、メモリ２００１、Ｉ／Ｏ制御部２００３などを有する。ＣＰＵ２００２は所定のプログラムに従って演算しかつ全体の制御を司る。メモリ２００１はプログラムや所定のデータを格納するＲＡＭやＲＯＭ、ＩＣカード、フロッピーディスクなどを含み、プログラムやデータの読み書きを行う。Ｉ／Ｏ制御部２００３は入出力信号の伝送や制御を行う。
【００７２】
Ｉ／Ｏ制御部２００３には、操作部制御部２０１、読取制御部２０２、記録紙給紙制御部２０３、画像形成制御部２０４、シート処理制御部２０５が接続されている。また、メモリ２００１およびＩ／Ｏ制御部２００３は、ＣＰＵ２００２からの制御信号により制御される。さらに、コントローラ回路部２００は、Ｉ／Ｏ制御部２００３を介して、操作部制御部２０１、読取制御部２０２、記録紙給紙制御部２０３、画像形成制御部２０４、シート処理制御部２０５を動作させる。これにより、操作部制御部２０１は、操作部４０に情報を表示し、操作部４０の入力操作を受け取る。また、読取制御部２０２は、読取部１０１の駆動制御を行う。記録紙給紙制御部２０３は、画像形成部１０２内の各記録紙格納部５３，５４からのシートＳの給紙動作を制御する。画像形成制御部２０４は、レーザビームの走査制御、感光ドラム６０およびその周辺機の駆動制御、搬送ローラの駆動制御などを行う。シート処理制御部２０５は、シート処理部１０３の駆動制御を行う。
【００７３】
上記構成を有する複写装置１００では、ユーザーが読取部１０１の自動原稿給送部５１上に原稿をセットし、操作部４０で動作モードの設定および複写開始を指定すると、自動原稿給送部５１により原稿を１枚づつ原稿台ガラス７８上の読み取り位置に給送し、読取部１０１により給送された原稿の読み取りを行う。
【００７４】
ＣＣＤラインセン７６は読み取った原稿画像を光電変換により各アナログ色信号に変換し、各信号をアナログ／デジタル変換して画像信号として出力する。読み取られた画像信号に対し、操作部４０からのユーザー設定に応じて各種画像処理の処理を施した後、画像信号は感光体６０を露光するためのレーザ信号に変換される。そして、通常の電子写真プロセスの帯電、露光、潜像、現像、転写、分離、定着工程を経てシートＳ上に画像が形成される。画像が形成されたシートＳは、シート処理部１０３の入口搬送路１０へと搬送される。シート処理部１０３は、操作部４０からの設定に応じて、ＣＰＵ回路部２００からシート処理制御部２０５により制御される。
【００７５】
次に、操作部４０の構成について図４および図５を参照しながら説明する。図４は図１の操作部の外観構成を示す図、図５は図４の操作部のＬＣＤに表示された操作画面の一例を示す図である。
【００７６】
操作部４０は、図４に示すように、画面上にタッチパネルシートが貼り付けられている液晶表示部（以下、ＬＣＤという）６２０と複数のハードキーとを有する。ＬＣＤ６２０は、システムの操作画面およびソフトキーを表示し、表示されているソフトキーが押されると、その位置情報が操作部制御部２０１を介してＣＰＵ回路部２００のＣＰＵ２００２に出力される。また、ＬＣＤ６２０は、ＣＰＵ２００２からの情報を取り込み、表示する。
【００７７】
ここで、図４に示すＬＣＤ６２０の操作画面は、コピーＡ機能に対応する操作画面であり、この画面には、複数のソフトキー６２４，６３３が表示されている。ユーザはこれらのソフトキーを押下することによってコピーＡ機能におけるモードの設定を行うことができる。ソフトキー６２７は、用紙選択を行うためのキーであり、ソフトキー６２８，６２９，６３０，６３２は、複写動作の複写倍率を設定するためのキーである。応用モードキー６２６は、多重動作や縮小レイアウトモード、表紙／合紙モードなどの応用機能モードを設定するためのキーであり、この応用モードキー６２６の押下によって、応用機能モードの設定画面が表示される。ソフトキー６２４は、両面動作の設定であり、このキー６２４により、片面原稿２枚を両面原稿で出力する「片−両モード」、両面原稿を両面原稿で出力する「両−両モード」、両面原稿を片面原稿２枚で出力する「両−片モード」などの設定を行うことが可能である。ソフトキー６２５は、シート処理部１０３の動作モードの設定やメモリを用いた出力紙の仕分けモードの設定などの行うためのキーである。
【００７８】
ソフトキー６３３は、カラー原稿読取モードの設定を行うためのキーであり、このキーにより、原稿積載トレイ５０に積載されている複数の原稿ｐの中からカラー原稿のみを読み取って出力するモードを設定することが可能である。ソフトキー６３１は、原稿積載トレイ５０に積載されている複数の原稿ｐの中から白黒原稿のみを読み取って出力するモードを設定するためのキーである。ここで、ソフトキー６３３、ソフトキー６３１のいずれか押下されたときには、選択されたモードに対応するキーが白黒反転表示され、これにより選択された読取モードを知らせることができる。また、反転表示状態のキーを押下すると、モードが解除され、そのキーは通常表示（非反転表示）に復帰する。なお、ソフトキー６３３、ソフトキー６３１のいずれもが非反転表示状態であるときには、初期状態にあり、カラー原稿、白黒原稿の区別なく原稿積載トレイ５０にセットされた原稿の全てを読み取る通常読取モードが設定される。
【００７９】
ＬＣＤ６２０内に表示されているキーの中で使用することができないキーに対しては、その表示部分を点線（網掛け）することによってそのキー操作を受け付けることができなきことを表すように構成されている。また、ＬＣＤ６２０上の下部位置には、その他の機能モードの動作状態を示す表示領域が設けられている。本例では、コピーＢ機能において画像形成部１０２への出力動作中であることを示す。
【００８０】
ハードキーとしては、パワースイッチ６１３、スタートキー６１４、ストップキー６１５、リセットキー６１６、ガイドキー６１７、ユーザ設定キー６１８、割り込みキー６１９、テンキー群６２２およびクリアキー６２３が設けられている。パワースイッチ６１３は、装置への電源をオン、オフするためのスイッチであり、このスイッチ６１３により電源がオンされると、電源がオンされていることを示すパワーランプ６１２が点灯する。スタートキー６１４は原稿画像の読取り動作の開始を指示するためのキーであり、このキーの中央部には、緑と赤の２色ＬＥＤ（図示せず）が装着されている。２色ＬＥＤの赤色点灯は、スタートキー６１４の押下を受け付けないことを示し、緑色点灯は、スタートキー６１４の押下を受け付けることを示す。ストップキー６１５は稼働中の動作を止めるためのキーである。リセットキー６１６は操作部４０からの設定を初期化するときに用いるキーである。ガイドキー６１７は、各キーにより設定可能な機能の説明をＬＣＤ６２０に表示するためのキーである。ユーザ設定キー６１８は、複写装置１０００の設定をユーザが変更する場合に使用するキーであり、ユーザが変更な設定は、例えば、複写装置１０００に対する設定を自動的にクリアするまでの時間や、リセットキー６１６を押下した際のモードの既定値の変更設定などである。割り込みキー６１９は、ジョブ途中に他のジョブを割り込ませるために用いるキーである。クリアキー６２３は、テンキー群６２２で入力した設定をクリアする場合に使用されるキーである。
【００８１】
また、ハードキーとして、コピーＡ機能キー６０１、コピーＢ機能キー６０４、ファックス機能キー６０７、プリンタ機能キー６１０が設けられている。これらの機能キーは、複写動作、システム動作の各機能の設定を行うために、操作部４０のＬＣＤ６２０の表示内容を切り替える際に使用される。これらの機能キーは、半透明キーからなり、キー内部には、ＬＥＤなどの表示ランプ（図示せず）が組み込まれ、この表示ランプは選択された操作画面に対応して点灯制御される。また、各機能キーの右側には、グリーンのＬＥＤ６０３，６０６，６０９，６１２が配置され、各ＬＥＤは、動作状況を表すように点灯制御される。例えば、コピーＢ機能キー６０４を押下すると、ＬＣＤ６２０には、コピーＢ機能に対応する操作画面が表示される。コピーＢ機能がスタンバイ中ではコピーＢ機能キー６０４に対応するＬＥＤ６０６は、消灯制御される。また、コピーＢ機能による出力動作中の場合、コピーＢ機能キー６０４に対応するＬＥＤ６０６は点滅制御され、コピーＢ機能の画像がメモリ２００１に保存され、コピーＢ機能のプリント動作が行われていない場合、ＬＥＤ６０６は点灯制御される。
【００８２】
各機能キーの左側には、レッドのＬＥＤ６０３，６０６，６０９，６１２が配置され、各ＬＥＤは、各機能において異常が発生した場合にその異常を表すような点灯制御される。例えば、コピーＢ機能キーにおいて紙無中断やジャムなどの異常が発生した場合は、コピーＢ機能キー６０４に対応するＬＥＤ６０６は、点滅制御される。このとき、コピーＢ機能キー６０４が押下されると、コピーＢ機能における異常状況が表示され、その詳細を知ることができる。
【００８３】
上記各機能キー６０１，６０４，６０７，６１０は、動作状況に関係なく、押下することができ、ＬＣＤ６２０に表示する内容を変更することによって、操作画面の切替えを行うことができる。そして、ストップキー６１５、スタートキー６１４、リセットキー６１６などは、各機能キーにより選択された機能に対応した操作を行うキーとして割り当て可能である。例えば、コピーＡ機能の操作画面をＬＣＤ６２０に表示しているときに、コピーＢ機能による複写動作を停止する場合、コピーＢ機能キー６０４を押下して操作画面を切り替えた後に、ストップキー６１５を押下することによって、コピーＢ機能による複写動作を低することができる。また、ユーザ設定キー６１８により変更した内容は、変更時に選択した機能に対して反映されているから、それぞれに機能に対して独立して設定することが可能である。
【００８４】
本実施の形態の画像形成装置１０００は、インサータにインサート紙をセットする際に要するユーザの作業を極力軽減させるように、インサータにセットすべきシートの出力を行うものであり、例えば、図３８または図３９に示す画像形成装置と組み合わせたシステムにおいて特に有効である。図３８は図１の画像形成装置と組み合わせて用いられる１ビンインサータを有する画像形成装置の主要部構成を模式的に示す図、図３９は図１の画像形成装置と組み合わせて用いられる３ビンインサータを有する画像形成装置の主要部構成を模式的に示す図である。
【００８５】
この画像形成装置１０００のインサート出力モードにおいてインサート紙としてのシートを出力する処理と、インサート紙として出力されたシートを用いたインサート処理を含む、カラー原稿および白黒原稿が混在する原稿束の出力物を得るための、ユーザの介入作業を含む一連の作業工程を説明する。
【００８６】
本実施の形態の画像形成装置１０００は、例えば、画像形成装置１００１ａのインサータ１０４ａ（図３８）、画像形成装置１００１ｂのインサータ１０４ｂ（図３９）などの、使用するインサータに適した形態でシートの出力を行う。
【００８７】
上記インサータは、例えば、表紙や合紙や、色紙、カラー画像が形成されたシート等の特殊なシートを、画像形成部にて像形成されたシートに、挿入する為のものであって、上述のインサータからのシートは、画像形成ユニットを介すことなく、フィニッシャ内部に導かれ、フィニッシャの排紙部に排出される。
【００８８】
ここで、本実施の形態の画像形成装置１０００は、カラー画像をシート上に形成可能な装置であり、画像形成装置１００１ａ，１００１ｂは白黒画像をシート上に形成する画像形成装置とする。画像形成装置１００１ａには、図３８に示すように、１つのインサータビンを有するインサータ１０４ａを具備するフィニッシャ１０３ａが接続されている。画像形成装置１００１ｂには、図３９に示すように、３つのインサータビンを有するインサータ１０４ｂを具備するフィニッシャ１０３ｂが接続されている。その他の基本的な構成は共通しているものとし、その説明は省略する。
【００８９】
次に、例えば、本実施の形態の画像形成装置１０００と画像形成装置１００１ａとの２台が協働して、カラー原稿および白黒原稿が混在する原稿束ｐのコピー物を生成する場合における、装置の動作およびユーザの作業等を含む一連の処理の流れについて簡単に説明する。
【００９０】
まず、ユーザは、カラー原稿及び白黒原稿が混在する原稿束ｐを、先頭ページを最上部にファイスファップ状態（画像形成面が上向きの状態）で、画像形成装置１０００の原稿積載トレイ５０にセットする。そして、インサート出力モードを選択し、インサート出力モードの設定を操作部４０で行い（インサート出力モードの設定等に関しては後述する）、コピースタートキーを押下する。
【００９１】
これを受け、画像形成装置１０００は、原稿束ｐをページ順を維持しながら、順番に給送し、ページ単位で、カラー画像が形成されたカラー原稿か白黒画像が形成された白黒原稿かを判別する。そして、該原稿束ｐ内のカラー原稿のページについては、自装置が具備するカラー画像形成ユニットでカラー画像形成を行い、白黒ページについては画像形成を行わないようにする。
【００９２】
これにより、画像形成装置１０００が有するシート処理部１０３のビンユニット５内には、原稿束ｐ内のカラーページのコピー物のみが連続したページ順で出力されることになる。なお、自動原稿給送部５１上では、ページ順を維持しながら、全ページについて、カラー白黒判別処理を行って、原稿排出部５０ａに原稿を排出するので、原稿積載トレイ５０にセットされたときと同様にページ順を維持したままの状態で、上述の処理を終了することができる。
【００９３】
そして、ユーザは、ビンユニット５からカラーページのみの出力物を、該ビンユニット５から取り出し、取り出したカラー出力物を、白黒画像形成ユニットを備えた画像形成装置１００１ａのフィニッシャ１０３ａの上部に設けられたインサータ１０４ａのインサートビン２０に、先頭ページ側を最上部にファイスアップの状態で、インサート紙として、セットする。また、ユーザは、原稿排出部５０ａにある、ページ順が維持された状態でカラー白黒判別処理を行ったカラー白黒混在原稿束ｐを、そのまま持ち運び、画像形成装置１００１ａの原稿積載トレイ５２ａに、先頭ページを最上部にファイスファップ状態（画像形成面が上向きの状態）でセットする。そして、インサート紙束及び原稿束の搬入作業を済ませたら、画像形成装置１００１ａの操作部４０ａにおいて、例えば、インサータビン２０からのカラー出力物と、プリント処理したシートとの丁合処理等のインサータ１０４ａを用いた処理を画像形成装置１００１ａに実行させるためのインサートモードの選択およびその設定を行い、コピースタートキーを押下する。
【００９４】
これを受け、画像形成装置１００１ａは、原稿積載トレイ５２ａから原稿束をページ順を維持しながら、順番に給送し、ページ単位で、カラー画像が形成されたカラー原稿か白黒画像が形成された白黒原稿かを判別し、判別したページが白黒ページの場合は、自装置が具備する白黒画像形成ユニットにより画像形成し、それをフィニッシャ内部に導き、フィニッシャ１０３ａの排紙ビン８５や８６などの排紙部に排出する。一方、判別したページがカラーである場合は、画像形成を行わず、代わりに、インサータ１０４ａのインサータビン２０からインサート紙としての、カラー出力物の給送を行い、フィニッシャ１０３ａ内部の搬送路を介して、白黒ページの画像形成を施したシートと同一の排出部に向って搬送する。
【００９５】
即ち、画像形成装置１００１ａにおいては、原稿積載トレイ５２ａにセットされた原稿束内の、白黒ページについてのみ画像形成を行う。そして、カラーページについては、画像形成を行わず、その代わりに、インサータ１０４ａから、カラー画像形成装置１０００にて既にカラー画像形成を施したインサート紙としてのカラー出力物を給送する。これにより、画像形成装置１００１ａの排出部には、カラー出力物と白黒出力物とが原稿束と同一のページ順に丁合された１つのグループとしての出力束を、生成することができる。
【００９６】
以上が、画像形成装置１０００，１００１ａの２台の画像形成装置が協働して、カラー白黒混在原稿のコピー物を生成する場合における、画像形成装置１０００側のインサータにセットするためのシートの出力処理、画像形成装置１００１ａ側のインサータを用いたインサート処理、ユーザの作業などを含む一連の処理の基本的な流れである。
【００９７】
そして、本実施の形態では、上述の、画像形成装置１０００側における、インサータにセットするためのシートの出力処理に関し、特に重点的に説明する。詳しくは後述する。
【００９８】
上述の基本的な一連の流れを踏まえ、例えば、１頁目、３頁目、５頁目がカラー原稿で残りは白黒原稿の計５枚からなる１つの原稿束のコピーを、３部作成する場合について説明する。
【００９９】
ここで、本実施の形態の画像形成装置１０００の他に、実際にインサート処理を行う装置として、画像形成装置１００１ａを使用する場合、ユーザは、本実施の形態の画像形成装置１０００の操作部４０における、インサート出力モードの設定において、後に行われる作業工程である、画像形成装置１００１ａ側での処理のことを踏まえた設定を画像形成装置１０００側で行う。ここでは、画像形成装置１００１ａが有するインサータ１０４ａは、１つのインサータビンを有するタイプのものであるので、それに関する情報が、インサート出力モードの設定において、操作部４０から入力される。この際に、出力部数等の情報があわせてセットされ、そして、コピースタートキーが押下される。これにより、画像形成装置１０００は、例えば、１頁目のカラー画像を形成したシート、３頁目のカラー画像を形成したシート、５頁目のカラー画像を形成したシートからなる計３枚のシートからなるシート束を、３つ作成し、それらを、ビンユニット５の同一ビン内に収納する（即ち、ｐ１，ｐ３，ｐ５、ｐ１，ｐ３，ｐ５、ｐ１，ｐ３，ｐ５の9枚のシートが１つの排紙ビンに収納される）。
【０１００】
そして、ユーザが、１つの排紙ビン内にある９枚のシートを取出し、画像形成装置１００１ａのインサータビン２０に、インサート紙として、先頭頁側を最上部にフェイスアップでセットする。またこの際に、画像形成装置１０００の原稿排紙部５０ａに排紙された原稿束は、画像形成装置１００１ａの原稿積載トレイ５２ａにセットし直される。そして、ユーザは、画像形成装置１００１ａの操作部４０ａにおいて、例えば、インサータ１０４ａを用いた処理を画像形成装置１００１ａに実行させるための設定を行い、コピースタートキーを押下する。
【０１０１】
これにより、画像形成装置１００１ａは、原稿束のカラー白黒判別処理を先頭頁側から順番に行い、原稿束の１枚目、３枚目、５枚目でのカラー判別処理の各時点では、判別結果がカラー原稿であるので、画像形成は行わず、その際は、インサータビン２０からシートを給送する。そして、原稿束の２枚目、４枚目のカラー白黒判別処理の際は、白黒原稿であるので、その際は、画像形成を行う。これにより、ｐ１（カラー）、ｐ２（白黒）、ｐ３（カラー）、ｐ４（白黒）、ｐ５（カラー）からなる１セット分のシート束が、排出部に排出され、この一連の処理を３回繰り返すことにより、３セット分のシート束が排出される。
【０１０２】
上述では、本実施の形態の画像形成装置１０００と画像形成装置１００１ａとが協働してカラー白黒混在原稿のコピー物を生成する場合の一例について説明したが、本実施の形態の画像形成装置１０００と画像形成装置１００１ｂとが協働してカラー白黒混在原稿のコピー物を生成する場合の例について以下に説明する。
【０１０３】
まず、ユーザは、本実施の形態の画像形成装置１０００の操作部４０における、インサート出力モードの設定において、後に行われる作業工程である、画像形成装置１００１ｂ側での処理のことを踏まえた設定を画像形成装置１０００側で行う。例えば、画像形成装置１００１ｂが有するインサータ１０４ｂは、３つのインサータビンを有するタイプのものであるので、それに関する情報が、インサート出力モードの設定において、操作部４０から入力される。この際に、出力部数等が合わせてセットされ、そして、コピースタートキーが押下される。これにより、画像形成装置１０００は、例えば、ビンユニット５の一番目のビンには、原稿束の１頁目のカラー画像を形成したシートを３枚排出し、ビンユニット５の２番目のビンには、原稿束の３頁目のカラー画像を形成したシートを３枚排出し、ビンユニット５の３番目のビンには、５頁目のカラー画像を形成したシートを３枚排出する（即ち、１番目のビンには、ｐ１，ｐ１，ｐ１と排出され、２番目のビンには、ｐ３，ｐ３，ｐ３と排出され、３番目のビンには、ｐ５，ｐ５，ｐ５と排出される）。
【０１０４】
そして、今度は、画像形成装置１００１ｂ側での作業に移る。まず、ユーザは、画像形成装置１０００のビンユニット５の１番目のビン内の、ｐ１，ｐ１，ｐ１のカラーコピーである３枚からなるシート束を、画像形成装置１００１ｂの１番目のインサートビン２０に、インサート紙として、先頭頁側を最上部にフェイスアップでセットする。同様に、画像形成装置１０００のビンユニット５の２番目のビン内の、ｐ３，ｐ３，ｐ３のカラーコピーである３枚からなるシート束を、画像形成装置１００１ｂの２番目のインサートビン２０にセットする。同様に、画像形成装置１０００のビンユニット５の３番目のビン内の、ｐ５，ｐ５，ｐ５のカラーコピーである３枚からなるシート束を、画像形成装置１００１ｂの３番目のインサートビン２０にセットする。
【０１０５】
またこの際に、ユーザにより、画像形成装置１０００の原稿排紙部５０ａに排紙された原稿束が、画像形成装置１００１ｂの原稿積載トレイ５２ｂにセットし直される。そして、ユーザは、画像形成装置１００１ｂの操作部４０ｂにおいて、インサータ１０４ｂを用いた処理を画像形成装置１００１ｂに実行させるための設定を行い、コピースタートキーを押下する。
【０１０６】
これにより、画像形成装置１００１ｂは、原稿束のカラー白黒判別処理を先頭頁側から順番に行い、原稿束の１枚目のカラー判別処理の時点では、判別結果がカラー原稿であるので、画像形成を行わず、その代わりに、１番目のインサータビン２０からシートを１枚給送する。原稿束の２枚目のカラー白黒判別処理の際は、白黒原稿であるので、その際は、ｐ２の画像形成を行う。原稿束の３枚目のカラー判別処理の時点では、判別結果がカラー原稿であるので、画像形成を行わず、その代わりに、２番目のインサータビン２０からシートを１枚給送する。原稿束の４枚目のカラー白黒判別処理の際は、白黒原稿であるので、その際には、ｐ４の画像形成を行う。原稿束の５枚目のカラー判別処理の時点では、判別結果がカラー原稿であるので、画像形成を行わず、その代わりに、３番目のインサータビン２０からシートを１枚給送する。これにより、ｐ１（カラー）、ｐ２（白黒）、ｐ３（カラー）、ｐ４（白黒）、ｐ５（カラー）からなる１セット分のシート束が、排出部に排出され、この一連の処理を３回繰り返すことにより、３セット分のシート束が排出される。
【０１０７】
以上、画像形成装置１０００と１ビンインサータ１０４ａを有する画像形成装置１００１ａとの協働処理の一例や、画像形成装置１０００と３ビンインサータ１０４ｂを有する画像形成装置１００１ｂとの協働処理の一例で説明したように、本実施の形態では、どのようなタイプの、どのような機能のインサータを後の作業で使用するのか等を考慮した、使用するインサータに適した、インサート紙の画像形成処理および仕分け処理（例えば、原稿束内のカラーページのみを画像形成する処理や、ｐ１，ｐ３，ｐ５，ｐ１，ｐ３，ｐ５，ｐ１，ｐ３，ｐ５の順で出力し、且つ、カラーページで連続するページを同一の排紙ビンに排出する処理や、ｐ１，ｐ１，ｐ１，ｐ３，ｐ３，ｐ３，ｐ５，ｐ５、ｐ５の順で出力し、且つ、１つのビンに、同一のカラーページを、各ビン毎にそれぞれ排出する等の処理）等を、画像形成装置１０００側にて行う。これにより、ユーザが画像形成装置１０００側で出力されたインサート紙を、画像形成装置１００１ａや画像形成装置１００１ｂが具備するインサータにセットする際の、操作性を向上させ、インサータに対するインサート紙のセットミスや、誤動作等を防止することができる。
【０１０８】
本実施の形態の画像形成装置１０００の操作部４０上の表示パネル内に表示される図４に示す操作画面において、ソフトキー(排紙処理キー６２５)がユーザに押下されることにより、図５に示す操作画面に切り替え、その内容を表示する。図５に示す操作画面は、排紙処理を設定するための初期操作画面である。この初期操作画面には、ソートモードを設定するためのソートキー６３２、ソートして出力したシート束にステイプル処理を施すモードを設定するためのステイプルソートキー６３３、１つの原稿に対してコピー出力されたシートを１つの積載ビン３１に排紙するグループモードを設定するためのグループキー６３４、インサータ出力モードを設定するための合紙作成キー６４２などが表示される。この合紙作成キー６４２が押下されると、インサータ出力モードが選択され、インサータの機種を指定するための１ビンインサータキー６４３、３ビンインサータキー６４４、５ビンインサータキー６４５が排他的に選択可能となる。例えば、図３８の画像形成装置１００１ａのインサータ１０４ａを用いたインサート処理を後で行うなら１ビンインサータキー６４３を選択する。画像形成装置１００１ｂのインサータ１０４ｂを用いたインサート処理を行うなら３ビンインサータキー６４４を選択する。なお、この排紙処理を設定するための各キーは排他的に選択可能なものであって、各モードから排紙モードを選択可能なように構成されている。また、取り消しキー６３６およびＯＫキー６３７が表示され、取り消しキー６３６は、排紙処理モードの設定をキャンセルする場合に使用する。ＯＫキー６３７は、この操作画面において選択した設定項目を確定するためのキーである。
【０１０９】
本実施の形態においては、インサータ出力モードが設定可能であり、このインサータ出力モードは、原稿束の中からカラー原稿のみを読み取り、読み取った画像をシートに形成し、このシートをインサータにセットされるインサート紙として出力するモードである。このインサータ出力モードは、合紙作成キー６４２を押下することによって選択される。そして、図５に示す操作画面において、１ビンインサータキー６４３、３ビンインサータキー６４４、５ビンインサータキー６４５のいずれかを押下することによって、インサータの機種が選択される。これにより、選択されたインサータの機種に応じた収納可能枚数または置数が選択、設定されたことになる。
【０１１０】
例えば、１頁目、３頁目、５頁目がカラー原稿で残りは白黒原稿の計５枚からなる１つの原稿束のコピーを、３部作成する場合で、本形態の画像形成装置１０００の他に、実際にインサート処理を行う装置として、画像形成装置１００１ａを使用する場合、ユーザにより、図５の操作画面上で合紙作成キー６４２が押下され、１ビンインサータキー６４３が押下されたことに応じて、原稿束内の白黒ページ相当部分の画像形成は禁止して、カラーページ相当部分のp１、p３、p５の画像形成のみを行い、ｐ１，ｐ３，ｐ５，ｐ１，ｐ３，ｐ５，ｐ１，ｐ3，ｐ５の順で出力し、これらを全て、ビンユニット５の１番目のビンに全て排出する。このように、１ビンインサータキー６４３が選択されたことに応じて、例えば、複数ページからなる前記一連の原稿の内の、前記第１タイプの画像の異なるページのシートが１つの積載ユニットに連続して収納されるようシートの仕分けを行うモードを実行する（このモードは、後述するFモードに相当する）。
【０１１１】
また、例えば、本実施の形態の画像形成装置１０００の他に、実際にインサート処理を行う装置として、画像形成装置１００１ｂを使用する場合、ユーザにより、図５の操作画面上で合紙作成キー６４２が押下され、３ビンインサータキー６４４が押下されたことに応じて、原稿束内の白黒ページ相当部分の画像形成は禁止して、カラーページ相当部分のｐ１，ｐ３，ｐ５の画像形成のみが行われ、ｐ１，ｐ１，ｐ１がビンユニット５の第１ビンに、ｐ３，ｐ３，ｐ３がビンユニット５の第２ビンに、ｐ５，ｐ５，ｐ５がビンユニット５の第３ビンにそれぞれ排出される。また、ユーザの設定や原稿枚数等によっては、第１ビン、第２ビン、第３ビンにそれぞれ、ｐ１，ｐ３，ｐ５を排出するようシートの仕分けを行う。このように、３ビンインサータキー６４４が選択されたことに応じて、例えば、複数ページからなる前記一連の原稿の内の、前記第１タイプの画像の同一ページのシートが１つの積載ユニットに連続して収納されるようシートの仕分けを行うモードを実行する（このモードは、後述するＳモードに相当する）。
【０１１２】
このインサータ出力モードについて図６を参照しながら説明する。図６は図１の複写装置におけるインサータ出力モードの手順を示すフローチャートである。このインサータ出力モードはＣＰＵ回路部２００により制御される。
【０１１３】
まず、ステップＳ１１において合紙作成キー６４２が押下されたか否かを判定し、合紙作成キー６４２が押下されると、ステップＳ１２に進み、１ビンインサータキー６４３、３ビンインサータキー６４４、５ビンインサータキー６４５のいずれかの押下に応じてインサータの機種を選択する。これにより、インサータ出力モードが設定されたことになる。そしてステップＳ１３に進み、スタートキー６１４の押下を待つ。これに対し、上記ステップＳ１１において合紙作成キー６４２が押下されていないと判定すると、上記ステップＳ１２をスキップしてステップＳ１３に進み、スタートキー６１４の押下を待つ。
【０１１４】
スタートキー６１４が押下されると、ステップＳ１４に進み、インサータ出力モードが設定されているか否かを判定し、インサータ出力モードが設定されていないときには、通常コピー動作を行うと判断してステップＳ１９に進み、原稿積載トレイ５０に積載された原稿ｐを１枚づつ順に原稿台ガラス７８上に搬送し、この搬送された原稿を読み取り、続くステップＳ２０で、読み取った画像の画像形成を行い、そしてステップＳ２１において最終原稿の画像形成が終了したか否かを判定し、最終原稿の画像形成が終了していないときには、上記ステップＳ１９に戻り、次の原稿の読取を行う。最終原稿の画像形成が終了すると、本処理を終了する。
【０１１５】
インサート出力モード以外の像形成モードが選択された場合は、原稿積載トレイ５０にセットされた原稿を全ページ画像形成することを許可する。つまり、カラー原稿、白黒原稿が混在した原稿束を全ページプリントすることを許可する。インサート出力モードが選択された場合は、全ページプリントを禁止して、カラー原稿、白黒原稿の一方のタイプの原稿のみをプリントし、他方のタイプの原稿はプリントしないよう制御する（本実施の形態では、カラー白黒混在原稿の内の、カラーページをプリントし、白黒ページはプリントしない）。
【０１１６】
上記ステップＳ１４においてインサータ出力モードが設定されていると判定されると、ステップＳ１５に進み、自動原稿給送部５１カラー原稿の給送を開始し、自動原稿給送部５１に設けられた原稿判別センサの出力に基づきこの原稿がカラー原稿であるか否かを判定する。この給送された原稿がカラー原稿であるときには、この原稿が読み取るべき原稿であると判断してステップＳ１６に進み、給送された原稿の読取を行い、この読み取った原稿の画像をメモリに格納する。そして、ステップＳ１７に進み、最終原稿の読取が終了したか否かを判定し、最終原稿の読取が終了していないときには、上記ステップＳ１５に戻り、次の原稿の給送を開始してカラー原稿であるか否かの判定を行う。これに対し、最終原稿の読取が終了すると、ステップＳ１８に進み、メモリに格納された画像を順に読み出してシート上に画像形成を行う。インサート出力モードの場合は、原稿積載トレイ５０にセットされた原稿内のカラー原稿に相当するページのみを画像形成し、白黒原稿に相当するページの画像形成は禁止する。この画像形成においては、選択されたインサータの機種に応じた収納可能枚数または置数分の画像形成を行う。そして、本処理を終了する。
【０１１７】
本実施の形態におけるインサート出力モードでは、カラー白黒混在原稿の、カラーページのみを画像形成し、白黒原稿については、画像形成しないよう制御している。これは、本形態の画像形成装置１０００はカラー画像をシート上に形成可能なカラー画像形成ユニットを有す画像形成装置であるからである。従って、別の形態として、白黒画像をシート上に形成する白黒画像形成ユニットを有する画像形成装置を適用する場合は、図６のステップＳ１５の判断において、カラー原稿ならステップＳ１７へ移行し、白黒原稿なら、ステップＳ１６に移行するようにし、ステップＳ１８において、白黒ページに相当する個所の白黒画像形成を行うよう制御すればよい。これにより、本発明を、白黒画像形成装置にも適用可能である。尚、画像形成ユニットの属性にかかわらず、操作部からいずれか一方のタイプの原稿のみを、プリントすることもできる。
【０１１８】
このように、本実施の形態では、手間を掛けずに、インサータに適応したインサート紙として使用されるシートの出力を得ることができる。
【０１１９】
なお、本実施の形態では、原稿内のカラー原稿のみを判別して、カラー原稿のみを読み取るインサータ出力モードを示したが、白黒原稿のみを読み取るインサート出力モードを設定することも可能であることをいうまでもない。また、各モードを選択して設定するように構成することが可能であることはいうまでもない。
【０１２０】
（実施の第２形態）
次に、本発明の実施の第２形態について図７ないし図１２を参照しながら説明する。図７は本発明の画像形成装置の実施の第２形態における操作部の構成を示す図、図８は図７の操作部に表示されたインサータ出力紙モードにおける排紙モード選択画面を示す図、図９ないし図１１は本発明の画像形成装置の実施の第２形態におけるインサータ出力紙モードの手順を示すフローチャート、図１２は本発明の画像形成装置の実施の第２形態におけるインサータ出力紙モードの排紙モードによる排紙形態例を示す図である。
【０１２１】
本実施の形態は、上述の実施の第１形態に対し、インサータの種類を入力し、入力されたインサータの種類に応じてインサータ出力モードによる出力するシートの出力部数を設定し、設定された出力部数分のシートＳをビンユニット５の同一の積載ビン３１に同一のページ順に振り分けて出力するＳモード（第１の排紙モード）と、設定された出力部数分のシートＳを部数単位で各積載ビン３１に振り分けて出力するＦモード（第２の排紙モード）とのいずれか一方のモードを選択して設定することが可能である点で異なる。なお、本実施の形態におけるインサータ出力モードは、上述の実施の第１形態と同様に、カラー原稿のみを読み取り、該読み取ったカラー原稿の画像のみを形成したシートをインサート紙として出力する。
【０１２２】
また、本実施の形態においては、図７に示すように、上述の実施の第１形態とほぼ同じキー構成を有する操作部４０が設けられているが、この操作部４０において、ＬＣＤ６２０に表示されるソフトキーの内白黒原稿読取りキーが設けられていない。本実施の形態は、上述の実施の第１形態と同じ構成を有し、その説明は省略する。
【０１２３】
本実施の形態では、図７に示す操作画面においてソフトキー(排紙処理キー)６２５を押下すると、実施の第１形態で述べたように、図５に示す排紙処理を設定するための初期操作画面操作画面が表示される。この初期操作画面において、合紙作成キー６４２が押下されると、インサータ出力モードが選択され、インサータの機種を指定するための１ビンインサータキー６４３、３ビンインサータキー６４４、５ビンインサータキー６４５が排他的に選択可能となる。そして、１ビンインサータキー６４３、３ビンインサータキー６４４、５ビンインサータキー６４５のいずれかを押下することによって、インサータの機種が選択される。これにより、選択されたインサータの機種に応じたシートの出力部数（Ｆモードにおいては収納可能枚数、Ｓモードにおいては置数）が選択、設定される。この操作画面上での項目の設定が確定されると、図８に示す操作画面への切換が行われる。
【０１２４】
この図８に示す操作画面においては、上記Ｓモードを選択するためのソフトキー６４０、上記Ｆモードを選択するためのソフトキー６４１が表示され、ソフトキー６４０，６４１のいずれかを選択すると、選択されたソフトキーに対応するモードが設定される。
【０１２５】
ここで、ＳモードおよびＦモードについて詳細に説明する。Ｓモードにおいては、インサータの機種に応じて設定された出力部数分のシートに対して同一ページのシートＳを同一の積載ビン３１に出力する。例えば、カラー画像が形成された原稿及び白黒画像が形成された原稿で構成されるカラー白黒混在原稿束の中に、カラーページに相当する原稿が５枚混在しており、設定された出力部数が６部であるとすると、図１２（ａ）に示すように、該カラー白黒混在原稿束の中の１番目のカラー原稿に対応する６枚のカラー画像形成されたシートが積載ビン＃１に、該カラー白黒混在原稿束内の２番目のカラー原稿に対応する６枚のカラー画像形成されたシートが積載ビン＃２に、該カラー白黒混在原稿束内の３番目のカラー原稿に対応する６枚のカラー画像形成されたシートが積載ビン＃３に、該カラー白黒混在原稿束内の４番目のカラー原稿に対応する６枚のカラー画像形成されたシートが積載ビン＃４に、該カラー白黒混在原稿束内の５番目のカラー原稿に対応する６枚のカラー画像形成されたシートが積載ビン＃５にそれぞれ出力されることになる。なお、このカラー白黒混在原稿束の中の白黒原稿に対応するページについては該インサート出力モードにおいては画像形成することを禁止する。
【０１２６】
Ｆモードにおいては、設定された出力部数分のシートＳを部数単位で各積載ビン３１に振り分けて出力する。例えば、カラー画像が形成された原稿及び白黒画像が形成された原稿で構成されるカラー白黒混在原稿束の中に、カラーページに相当する原稿が５枚混在しており、設定された出力部数が５部であるとすると、図１２（ｂ）に示すように、該カラー白黒混在原稿束内のカラー原稿の１番目から５番目までのカラー画像形成された１部目のシート束が積載ビン＃１に出力される。そして同様に、該カラー白黒混在原稿束に混在する１番目から５番目のカラー原稿に相当するカラー画像形成された５枚のシートからなる２部目のシート束が積載ビン＃２に、１番目から５番目のカラー原稿に相当するカラー画像形成された５枚のシートからなる３部目のシート束が積載ビン＃３に、１番目から５番目のカラー原稿に相当するカラー画像形成された５枚のシートからなる４部目のシート束が積載ビン＃４に、５部目のカラー画像形成された５枚のシートからなるシート束が積載ビン＃５にそれぞれ出力されることになる。このＦモードにおいては、積載ビン３１の数に応じて１ビン当りのシート束の部数を変えることが可能である。例えば、カラー画像が形成された原稿及び白黒画像が形成された原稿で構成されるカラー白黒混在原稿束の中に、カラーページに相当する原稿が５枚であり、設定された出力部数が４部であり、使用可能な積載ビンの数が２であるとすると、図１２（ｃ）に示すように、該原稿束内の１番目から５番目のカラー原稿に相当するカラー画像形成された５枚のシートからなる１部目のシート束および２部目のシート束を積載ビン＃１に、３部目および４部目のシート束を積載ビン＃２にそれぞれ出力するように排紙形態を変更することが可能である。
【０１２７】
次にＳモードで出力されたインサート紙としてのカラー出力物が、インサータを具備する装置において、どのようにインサート処理されるかを、図３９を用いて説明する。
【０１２８】
例えば、カラー画像が形成された原稿および白黒画像が形成された原稿で構成されるカラー白黒混在原稿束の中に、カラーページに相当する原稿が３枚混在しており、設定された出力部数が３部である場合において、Ｓモードでインサート出力処理を行うと、該カラー白黒混在原稿束の中の１番目のカラー原稿に対応する３枚のカラー画像形成されたシートがビンユニット５の積載ビン＃１に、該カラー白黒混在原稿束内の２番目のカラー原稿に対応する３枚のカラー画像形成されたシートがビンユニット５の積載ビン＃２に、該カラー白黒混在原稿束内の３番目のカラー原稿に対応する３枚のカラー画像形成されたシートがビンユニット５の積載ビン＃３に、排出される。
【０１２９】
そして、ビンユニット５の積載ビン＃１内のカラー画像形成された３枚のシートからなるシート束が、画像形成装置１００１ｂのインサータ１０４ｂのインサートビン♯１にセットされ、ビンユニット５の積載ビン＃２内のカラー画像形成された３枚のシートからなるシート束が、画像形成装置１００１ｂのインサータ１０４ｂのインサートビン♯２にセットされ、ビンユニット５の積載ビン＃３内のカラー画像形成された３枚のシートからなるシート束が、画像形成装置１００１ｂのインサータ１０４ｂのインサートビン♯３にセットされる。それと共に、原稿排紙部５０ａのカラー白黒混在原稿ｐが画像形成装置１００１ｂの原稿積載トレイ５２ｂにセットされる。
【０１３０】
次いで、ユーザにより、操作部４０ｂのインサート処理モードの設定において、Ｓモードが選択され、コピースタートキーが押下されると、該原稿束の白黒原稿に相当するページが画像形成され、カラー原稿に相当するページは画像形成されずに、インサータ１０４ｂからカラー出力物が順次搬送され、カラー出力物と白黒出力物との丁合処理が行われる。このインサータ１０４ｂからシートの給送方法に関し、Ｓモードでは、１つのインサートビンからシートを一枚給送させたら、次のインサートビンからシートを１枚給送するというように、１枚シートを給送する度に、給送元を次のインサートビンへと切替えるように制御し、最後のインサートビンまで一巡したら（この時点で、１セット目のインサート紙の給送は全て終了したことになる）、２部目の丁合物のために、最初のインサートビンに戻る。これが、設定部数分繰り返される。以上が、インサータを具備する装置側の処理としての、Ｓモードにおけるインサータからのシートの給送方法である。
【０１３１】
次に、Ｆモードで出力されたインサート紙としてのカラー出力物が、インサータを具備する装置において、どのように処理されるかを、図３９を用いて説明する。
【０１３２】
例えば、カラー画像が形成された原稿および白黒画像が形成された原稿で構成されるカラー白黒混在原稿束の中に、カラーページに相当する原稿が３枚混在しており、設定された出力部数が３部である場合において、Ｆモードでインサート出力処理を行うと、該カラー白黒混在原稿束内のカラー原稿の１番目から３番目までの一連のインサート紙としてのカラー画像形成された３枚からなる１部目のシート束が画像形成装置１０００のビンユニット５の積載ビン＃１に出力される。そして同様に、該カラー白黒混在原稿束に混在する１番目から３番目のカラー原稿に相当するカラー画像形成された一連のインサート紙としての３枚のシートからなる２部目のシート束がビンユニット５の積載ビン＃２に、１番目から３番目のカラー原稿に相当するカラー画像形成された一連のインサート紙としての３枚のシートからなる３部目のシート束がビンユニット５の積載ビン＃３に排出される。
【０１３３】
そして、ユーザが、ビンユニット５の積載ビン＃１内の互いに異なるページのカラー画像形成された３枚のシートからなるシート束を、画像形成装置１００１ｂのインサータ１０４ｂのインサートビン♯１にセットし、ビンユニット５の積載ビン＃２内のカラー画像形成された互いに異なるページの３枚のシートからなるシート束を、画像形成装置１００１ｂのインサータ１０４ｂのインサートビン♯２にセットし、ビンユニット５の積載ビン＃３内のカラー画像形成された互いに異なるページの３枚のシートからなるシート束を、画像形成装置１００１ｂのインサータ１０４ｂのインサートビン♯３にセットする。それと共に、原稿排紙部５０ａのカラー白黒混在原稿ｐを画像形成装置１００１ｂの原稿積載トレイ５２ｂにセットする。そして、操作部４０ｂのインサート処理モードの設定において、Ｆモードを選択し、コピースタートキーを押下すると、該原稿束の白黒原稿に相当するページは画像形成され、カラー原稿に相当するページは画像形成せずに、インサータ１０４ｂからカラー出力物が順次搬送され、カラー出力物と白黒出力物との丁合処理が行われる。このインサータ１０４ｂからシートの給送方法に関し、Ｆモードでは、１つのインサートビンからシートを３枚給送したら、次のインサートビンに移り、２番目のインサートビンからシートを３枚給送したら、又別のインサートビンに移るというように、１つのインサートビンに存在する、１つの束として丁合されるべき、一連のインサート紙を全て給送する迄の間は、給送元を次のインサートビンへと切替えないように制御する。そして、一連のインサート紙を全て給送した後に、給送元を次のインサートビンへと切替えるように制御する。但し、Ｆモードにおいて、図１２の（ｃ）に示すように、１つのインサートビンに複数の一連のインサート紙がスタックされている場合は、インサートビンからシートがなくなるまで、給送元を次のインサートビンへと切替えないようにし、インサートビンからシートが全て無くなったら、給送元を次のインサートビンへと切替えるようにする。以上が、インサータを具備する装置側の処理としての、Ｆモードにおけるインサータからのシートの給送方法である。
【０１３４】
次に、本実施の形態におけるインサータ出力モードについて図９ないし図１１を参照しながら説明する。このインサータ出力モードはＣＰＵ回路部２００により制御される。
【０１３５】
図９を参照するに、まずステップＳ３１において合紙作成キー６４２が押下されたか否かを判定し、合紙作成キー６４２が押下されると、ステップＳ３２に進み、１ビンインサータキー６４３、３ビンインサータキー６４４、５ビンインサータキー６４５のいずれかの押下に応じてインサータの機種を選択する。これにより、インサータ機種に応じた出力部数が設定される。そしてステップＳ３３に進み、ソフトキー６４０，６４１のいずれかを押下に応じて、インサータ出力モードにおけるＳモードまたはＦモードを設定する。これにより、インサー出力モードが設定されたことになる。
【０１３６】
次いで、ステップＳ３４に進み、スタートキー６１４の押下を待つ。これに対し、上記ステップＳ３１において合紙作成キー６４２が押下されていないと判定すると、上記ステップＳ３２および３３をスキップしてステップＳ３４に進み、スタートキー６１４の押下を待つ。
【０１３７】
スタートキー６１４が押下されると、ステップＳ３５に進み、カラー原稿判別モードが設定されているか否かを判定し、カラー原稿判別モードが設定されていないときには、通常の原稿読取動作を行うと判断してステップＳ３８に進み、原稿積載トレイ５０に積載された原稿ｐを１枚づつ順に原稿台ガラス７８上に搬送し、この搬送された原稿を読み取り、続くステップＳ３９で、読み取った原稿の画像をメモリに格納する。そして、ステップＳ４０において最終原稿の読取が終了したか否かを判定し、最終原稿の読取が終了していないときには、上記ステップＳ３５に戻り、次の原稿の読取を行う。最終原稿の読取が終了すると、ステップＳ４１に進む。
【０１３８】
上記ステップＳ３５においてカラー原稿判別モードが設定されていると判定されると、ステップＳ３６に進み、自動原稿給送部５１カラー原稿の給送を開始し、自動原稿給送部５１に設けられた原稿判別センサの出力に基づきこの原稿がカラー原稿であるか否かを判定するためのプレ原稿読取を行う。そしてステップＳ３７に進み、プレ原稿読取の結果に基づき原稿がカラー原稿であるか否かを判定する。原稿がカラー原稿であるときには、この原稿が読み取るべき原稿であると判断してステップＳ３８に進み、給送された原稿の読取を行い、続くステップＳ３９でこの読み取った原稿の画像をメモリに格納する。そして、ステップＳ４０に進み、最終原稿の読取が終了したか否かを判定し、最終原稿の読取が終了していないときには、上記ステップＳ３５に戻る。上記ステップＳ３７において原稿がカラー原稿でないと判定されると、上記ステップＳ３８および３９をスキップして上記ステップＳ４０に進む。すなわち、ここでカラー原稿でないと判定された原稿は読取が行われずにそのまま排紙される。最終原稿の読取が終了すると、ステップＳ４１に進む。
【０１３９】
ステップＳ４１では、インサータ出力モードが選択されているか否かを判定し、インサータ出力モードが選択されていないときには、ステップＳ４３に進み、メモリに格納されている画像を順に読み出してシート上に画像形成を行い、このシートをビンユニット５に出力する。そしてステップＳ４４において、ジョブが終了したか否かを判定し、ジョブが終了していないときには、上記ステップＳ４３に戻る。ジョブが終了すると、上記ステップＳ３１に戻る。
【０１４０】
上記ステップＳ４１においてインサータ出力モードが設定されていると判定されると、ステップＳ４２に進み、Ｓモードが設定されているか否かを判定し、Ｓモードが設定されていると、図１０に示すステップＳ４５に進む。ステップＳ４５では、原稿カウンタ、排紙ビン指定カウンタ、排紙ビン収納枚数カウンタ、インサータ出力枚数カウンタをそれぞれ「０」にクリアする。
【０１４１】
次いで、ステップＳ４６に進み、原稿カウンタを１インクリメントし、続くステップＳ４７で、原稿カウンタのカウント値に対応する枚数目の原稿画像のプリント動作を行う。そして、ステップＳ４８に進み、排紙ビン収納枚数カウンタを１インクリメントし、続くステップＳ４９で、インサータ出力枚数カウンタを１インクリメントする。
【０１４２】
次いで、ステップＳ５０に進み、このインサータ出力モードによるジョブが終了したか否かを判定し、このジョブが終了していないときには、ステップＳ５２に進み、インサータ出力枚数カウンタのカウント値が置数（上記ステップＳ３２でインサータ機種に応じて設定された出力部数）に一致したか否かを判定し、一致しなければ、ステップＳ５３に進み、排紙ビン収納枚数カウンタのカウント値が１ビン収納可能枚数に一致したか否かを判定する。排紙ビン収納枚数カウンタのカウント値が１ビン収納可能枚数に一致しないときには、上記ステップＳ４６に戻り、原稿カウンタのカウント値に対応する枚数目の原稿画像のプリント動作を続行する。
【０１４３】
排紙ビン収納枚数カウンタのカウント値が１ビン収納可能枚数に一致すると、原稿カウンタのカウント値に対応する枚数目の原稿の画像形成されたシートを現在の積載ビンに積載することができないと判断して、ステップＳ５４に進み、排紙ビン指定カウンタを１インクリメントして次の積載ビンを指定し、続くステップＳ５５で、排紙ビン収納枚数カウンタを「０」にクリアして上記ステップＳ４７に戻る。
【０１４４】
上記ステップＳ５２においてインサータ出力枚数カウンタのカウント値が置数に一致したと判定すると、ステップＳ５６に進み、インサータ出力枚数カウンタを「０」にクリアし、続くステップＳ５７で排紙ビン収納枚数カウンタを「０」にクリアし、そしてステップＳ５８で排紙ビン指定カウンタを１インクリメントし、上記ステップＳ４６に戻り、次の枚数目の原稿画像のプリント動作を行う。
【０１４５】
上記ステップＳ５０においてジョブが終了したと判定すると、ステップＳ５９に進み、インサータ出力モードをクリアし、上記ステップＳ３１に戻る。
【０１４６】
上記ステップＳ４２においてＦモードが設定されていると判定すると、図１１に示すステップＳ６０に進み、原稿カウンタ、排紙ビン指定カウンタ、排紙ビン収納枚数カウンタ、インサータ出力枚数カウンタをそれぞれ「０」にクリアする。
【０１４７】
次いで、ステップＳ６１に進み、原稿カウンタのカウント値が原稿枚数に一致するか否かを判定し、一致すれば、ステップＳ６２に進み、原稿カウンタを「０」にクリアし、ステップＳ６３に進む。これに対し、原稿カウンタのカウント値が原稿枚数に一致していないときには、ステップＳ６２をスキップしてステップＳ６３に進む。
【０１４８】
ステップＳ６３では、原稿カウンタを１インクリメントし、続くステップＳ６４で、原稿カウンタのカウント値に対応する枚数目の原稿画像のプリント動作を行う。そして、ステップＳ６５に進み、排紙ビン収納枚数カウンタを１インクリメントし、続くステップＳ６６で、インサータ出力枚数カウンタを１インクリメントする。
【０１４９】
次いで、ステップＳ６７に進み、このインサータ出力モードによるジョブが終了したか否かを判定し、このジョブが終了していないときには、ステップＳ６８に進み、インサータ出力枚数カウンタのカウント値がインサータ収納予定枚数（上記ステップＳ３２でインサータ機種に応じて設定された出力部数）に一致したか否かを判定し、一致しなければ、ステップＳ６９に進み、排紙ビン収納枚数カウンタのカウント値が排紙ビン収納可能枚数に一致したか否かを判定する。排紙ビン収納枚数カウンタのカウント値が排紙ビン収納可能枚数に一致しないときには、上記ステップＳ６１に戻り、原稿カウンタのカウント値に対応する枚数目の原稿画像のプリント動作を続行する。
【０１５０】
排紙ビン収納枚数カウンタのカウント値が排紙ビン収納可能枚数に一致すると、原稿カウンタのカウント値に対応する枚数目の原稿の画像形成されたシートを現在の積載ビンに積載することができないと判断して、ステップＳ７０に進み、排紙ビン指定カウンタを１インクリメントして次の積載ビンを指定し、続くステップＳ７１で、排紙ビン収納枚数カウンタを「０」にクリアして上記ステップＳ６１に戻る。
【０１５１】
上記ステップＳ６８においてインサータ出力枚数カウンタのカウント値がインサータ収納予定枚数に一致したと判定すると、所定の枚数分のシートが１つの積載ビンに出力された判断してステップＳ７２に進み、インサータ出力枚数カウンタを「０」にクリアし、続くステップＳ７３で排紙ビン収納枚数カウンタを「０」にクリアし、そしてステップＳ７４で排紙ビン指定カウンタを１インクリメントし、上記ステップＳ６１に戻る。
【０１５２】
上記ステップＳ６７においてジョブが終了したと判定すると、ステップＳ７５に進み、インサータ出力モードをクリアし、上記ステップＳ３１に戻る。
【０１５３】
このように、本実施の形態では、手間を掛けずに、インサータに適応したインサート紙として使用されるシートの出力を得ることができる。
【０１５４】
なお、本実施の形態におけるインサート出力モードでは、カラー白黒混在原稿の、カラーページのみを画像形成し、白黒原稿については、画像形成しないよう制御している。これは、本形態の画像形成装置１０００はカラー画像をシート上に形成可能なカラー画像形成ユニットを有する画像形成装置であるからである。従って、別の形態として、白黒画像をシート上に形成する白黒画像形成ユニットを有する画像形成装置を適用する場合は、図１３のステップＳ８５の判断において、カラー原稿ならステップＳ８７へ移行し、白黒原稿なら、ステップＳ８６に移行するようにし、ステップＳ８９において、白黒ページに相当する個所の白黒画像形成を行うよう制御すればよい。これにより、本発明を、白黒画像形成装置にも適用可能である。
【０１５５】
（実施の第３形態）
次に、本発明の実施の第３形態について図１３および図１４を参照しながら説明する。図１３は本発明の画像形成装置の実施の第３形態におけるインサータ出力モードの手順を示すフローチャート、図１４は図１３のステップＳ８８のＦ／Ｓモード判別処理の手順を示すフローチャートである。
【０１５６】
本実施の形態は、読み取った原稿の枚数と選択したインサータ機種から得られるインサータトレイ数情報とに基づきＳモードを実行することが可能な否かを判定し、Ｓモードの実行が不可能なときには、Ｆモードを設定する。また、Ｓモードの実行が可能であるときには、ＳモードおよびＦモードの両モードが実行可能であるか否かを判定し、両モードが実行可能であるときには、Ｆモードを優先的に設定する。
【０１５７】
Ｓモードを実行不可能な状況としては以下のような場合である。例えば、図３８および図３９を用いながら説明すると、カラー画像が形成された原稿および白黒画像が形成された原稿で構成されるカラー白黒混在原稿束の中に、カラーページに相当する原稿が3枚混在しており、設定された出力部数が３部である場合において、Ｓモードでインサート出力処理を行う場合、インサータを具備する装置側におけるインサート処理としてのＳモードが行われることになり、少なくとも３つのインサータビンを有するインサータが必要である。従って、画像形成装置１００１ａのインサータ１０４ａを用いてインサート処理を行うなら、画像形成装置１０００側でのインサート出力モードとして、Ｓモードは不適正であり、Ｓモードは実行不可と判断する。一方、画像形成装置１００１ｂのインサータ１０４ｂを用いてインサート処理を行うなら、３つのインサータビンを備えているので、画像形成装置１０００側でのインサート出力モードとして、Ｓモードは実行可能と判断する。なお、Ｆモードの場合は、一連のインサート紙が１つのインサートビンにスタックされ、且つ、１つのインサートビンに複数の一連のインサート紙をスタックした状態で、丁合処理ができるので、画像形成装置１００１ａのインサータ１０４ａを使っても、画像形成装置１００１ｂのインサータ１０４ｂを使っても、Ｆモードを実行可能である。よって、画像形成装置１０００側でのインサート出力モードとして、Ｆモードの実行は許可される。
【０１５８】
このインサータ出力モードについて図１３および図１４を参照しながら説明する。このインサータ出力モードはＣＰＵ回路部２００により制御される。ここでは、カラー原稿のみを読み取るインサータ出力モードについて説明する。
【０１５９】
図１３を参照するに、まず、ステップＳ８１において合紙作成キー６４２が押下されたか否かを判定し、合紙作成キー６４２が押下されると、ステップＳ８２に進み、１ビンインサータキー６４３、３ビンインサータキー６４４、５ビンインサータキー６４５のいずれかの押下に応じてインサータの機種を選択して設定する。これにより、インサータ出力モードが設定されたことになる。そしてステップＳ８３に進み、スタートキー６１４の押下を待つ。これに対し、上記ステップＳ８１において合紙作成キー６４２が押下されていないと判定すると、上記ステップＳ８２をスキップしてステップＳ８３に進み、スタートキー６１４の押下を待つ。
【０１６０】
スタートキー６１４が押下されると、ステップＳ８４に進み、インサータ出力モードが設定されているか否かを判定し、インサータ出力モードが設定されていないときには、通常コピー動作を行うと判断してステップＳ９０に進み、原稿積載トレイ５０に積載された原稿ｐを１枚づつ順に原稿台ガラス７８上に搬送し、この搬送された原稿を読み取り、続くステップＳ９１で、読み取った画像の画像形成を行い、そしてステップＳ９２において最終原稿の画像形成が終了したか否かを判定し、最終原稿の画像形成が終了していないときには、上記ステップＳ９０に戻り、次の原稿の読取を行う。最終原稿の画像形成が終了すると、本処理を終了する。
【０１６１】
上記ステップＳ８４においてインサータ出力モードが設定されていると判定されると、ステップＳ８５に進み、自動原稿給送部５１カラー原稿の給送を開始し、自動原稿給送部５１に設けられた原稿判別センサの出力に基づきこの原稿がカラー原稿であるか否かを判定する。この給送された原稿がカラー原稿であるときには、この原稿が読み取るべき原稿、即ち、インサート出力モードにおいて、画像形成すべきページであると判断してステップＳ８６に進み、給送された原稿の読取を行い、この読み取った原稿の画像をメモリに格納する。そして、ステップＳ８７に進み、最終原稿の読取が終了したか否かを判定し、最終原稿の読取が終了していないときには、上記ステップＳ８５に戻り、次の原稿の給送を開始してカラー原稿であるか否かの判定を行う。これに対し、最終原稿の読取が終了すると、ステップＳ８８に進み、Ｓモード、Ｆモードのいずれが実行可能であるかを判別し、いずれかのモードを設定するＦ／Ｓモード判別処理を行う。この判別処理については後述する。
【０１６２】
次いで、ステップＳ８９に進み、上記ステップＳ８８において設定されたモードでのプリント動作（本実施の形態でのカラー出力モードではカラー画像形成が行われる）を行う。ここで、Ｓモードが設定されているときには、インサータの機種に応じて設定された出力部数分のシートに対して同一ページのシートＳを同一の積載ビン３１に出力する。Ｆモードが設定されているときには、設定された出力部数分のシートＳを部数単位で各積載ビン３１に振り分けて出力する。この各モードの詳細は、上記実施の第２形態で述べた通りである。
【０１６３】
次に、Ｆ／Ｓモード判別処理について図１４を参照しながら説明する。
【０１６４】
このＦ／Ｓモード判別処理では、図１４に示すように、まずステップＳ１０１において、インサート出力モードにおける図５の画面等を介したユーザによるインサータ機種の選択により取得したインサータビン数が、インサート出力モードにおいて画像形成する為に読み取った原稿の枚数（Ｓモードで使用されるビンユニット５の積載ビンの数。つまり、カラー白黒混在原稿内に含まれるカラー原稿の枚数）より小さいか否かを判定する。インサータビン数が読み取った原稿枚数より小さいときには、読み取った原稿の画像を形成したシートのページ分の積載ビンがないためにＳモードの実行が不可能と判断してステップＳ１０２に進み、Ｆモードを設定する。そしてステップＳ１０４に進み、ＳモードとＦモードの両モードが実行可能であるか否かを判定する。ここでは、Ｓモードの実行が不可能であることから、両モードの実行が不可能であると判定し、本処理を終了する。これにより、Ｓモードが実行不可能であるときには、Ｆモードが設定される。
【０１６５】
インサータビン数が読み取った原稿枚数より小さくないときには、読み取った原稿の画像を形成したシートのページ分の積載ビンがあるためにＳモードの実行が可能と判断してステップＳ１０３に進み、設定したインサータの機種から得られた情報に基づきＳモードとＦモードのいずれかを設定する。そして、ステップＳ１０４に進み、ＳモードとＦモードの両モードが実行可能であるか否かを判定する。ここで、両モードの実行が不可能であるときには、本処理を終了する。これにより、上記ステップＳ１０３で設定されたモードが設定される。これに対し、両モードの実行が可能であるときには、ステップＳ１０５に進み、Ｆモードを設定して、本処理を終了する。これにより、ＳモードとＦモードの両モードが実行可能であるときには、上記ステップＳ１０３で設定されたモードに関係なく、Ｆモードが優先的に設定される。
【０１６６】
このように、本実施の形態では、実際のインサート処理で使用するインサータが有すインサータビン数が、インサート出力モードにおいて画像形成するために読み取った原稿枚数（Ｓモードで使用されるビンユニット５の積載ビンの数。つまり、カラー白黒混在原稿内に含まれるカラー原稿の枚数）より小さいときには、Ｓモードによって同一ページを積載する積載ビンに異なるページを積載することを未然に防止することができる。また、インサータ機種の選択により取得したインサータビン数と読み取った原稿枚数（Ｓモードで使用されるビンユニット５の積載ビンの数）との関係を考慮してＳモードまたはＦモードを選択する必要がなく、このモードの選択ミスを未然に回避することができる。
【０１６７】
（実施の第４形態）
次に、本発明の実施の第４形態について図１５を参照しながら説明する。図１５は本発明の画像形成装置の実施の第４形態におけるインサータ出力モードのＦ／Ｓモード判別処理の手順を示すフローチャートである。
【０１６８】
本実施の形態は、上述の実施の第３形態に対し、ＳモードおよびＦモードの両モードが実行可能であるか否かを判定し、両モードが実行可能であるときには、Ｓモードを優先的に設定する点で異なる。
【０１６９】
本実施の形態におけるインサータ出力モードの手順は、上記図１３に示す手順と同じであり、その説明は省略し、ここでは、上述の実施の第３形態と異なるＦ／Ｓモード判別処理についてのみ説明する。
【０１７０】
本実施の形態におけるＦ／Ｓモード判別処理では、図１５に示すように、まずステップＳ１１１において、インサート出力モードにおける図５の画面等を介したユーザによるインサータ機種の選択により取得したインサータビン数が、インサート出力モードにおいて画像形成する為に読み取った原稿枚数（Ｓモードで使用されるビンユニット５の積載ビンの数。カラー白黒混在原稿内に含まれるカラー原稿の枚数）より小さいか否かを判定する。インサータビン数が読み取った原稿枚数より小さいときには、読み取った原稿の画像を形成したシートのページ分の積載ビンがないためにＳモードの実行が不可能と判断してステップＳ１１２に進み、Ｆモードを設定する。そしてステップＳ１１４に進み、ＳモードとＦモードの両モードが実行可能であるか否かを判定する。ここでは、Ｓモードの実行が不可能であることから、両モードの実行が不可能であると判定し、本処理を終了する。これにより、Ｓモードが実行不可能であるときには、Ｆモードが設定される。
【０１７１】
これに対し、上記ステップＳ１１１においてインサータビン数が読み取った原稿枚数より小さくないと判定されると、読み取った原稿の画像を形成したシートのページ分の積載ビンがあるためにＳモードの実行が可能と判断してステップＳ１０３に進み、設定したインサータの機種から得られた情報に基づきＳモードとＦモードのいずれかを設定する。そして、ステップＳ１１４に進み、ＳモードとＦモードの両モードが実行可能であるか否かを判定する。ここで、両モードの実行が不可能であるときには、本処理を終了する。これにより、上記ステップＳ１０３で設定されたモードが設定される。これに対し、両モードの実行が可能であるときには、ステップＳ１１５に進み、Ｓモードを設定して、本処理を終了する。これにより、ＳモードとＦモードの両モードが実行可能であるときには、上記ステップＳ１０３で設定されたモードに関係なく、Ｓモードが優先的に設定される。
【０１７２】
（実施の第５形態）
次に、本発明の実施の第５形態について図１６を参照しながら説明する。図１６は本発明の画像形成装置の実施の第５形態におけるインサータ出力モードのＦ／Ｓモード判別処理の手順を示すフローチャートである。
【０１７３】
本実施の形態は、上述の実施の第３形態に対し、Ｓモードが実行可能であるときには、Ｓモード、Ｆモードのいずれかを自動的に選択して設定する点で異なる。
【０１７４】
本実施の形態におけるインサータ出力モードの手順は、上記図１３に示す手順と同じであり、その説明は省略し、ここでは、上述の実施の第３形態と異なるＦ／Ｓモード判別処理についてのみ説明する。
【０１７５】
本実施の形態におけるＦ／Ｓモード判別処理では、図１６に示すように、まずステップＳ１２１において、インサート出力モードにおける図５の画面等を介したユーザによるインサータ機種の選択により取得したインサータビン数が、インサート出力モードにおいて画像形成する為に読み取った原稿枚数（Ｓモードで使用されるビンユニット５の積載ビンの数。カラー白黒混在原稿内に含まれるカラー原稿の枚数）より小さいか否かを判定する。インサータビン数が読み取った原稿枚数より小さいときには、読み取った原稿の画像を形成したシートのページ分の積載ビンがないためにＳモードの実行が不可能と判断してステップＳ１２２に進み、Ｆモードを設定し、本処理を終了する。これにより、Ｓモードが実行不可能であるときには、Ｆモードが設定される。
【０１７６】
これに対し、インサータビン数が読み取った原稿枚数より小さくないと判定されると、インサート出力モードにおいて画像形成する為に読み取った原稿（カラー白黒混在原稿内に含まれるカラー原稿）の画像を形成したシートのページ分の積載ビンがあるためにＳモードの実行が可能と判断してステップＳ１２３に進み、設定したインサータの機種から得られた情報に基づきＳモードとＦモードのいずれかを設定し、本処理を終了する。これにより、ＳモードとＦモードのいずれかが設定される。
【０１７７】
（実施の第６形態）
次に、本発明の実施の第６形態について図１７ないし図２１を参照しながら説明する。図１７は本発明の画像形成装置の実施の第６形態におけるインサータ出力モードの先頭マークの付加例を示す図、図１８ないし図２１は本発明の画像形成装置の実施の第６形態におけるインサータ出力モードの手順を示すフローチャートである。
【０１７８】
本実施の形態は、上述の実施の第２形態に対し、インサータ出力モードによりインサート紙として出力されるシートの内の１ページ目に対応するシートに先頭マークを付加する機能を付加している点で異なる。
【０１７９】
具体的には、１頁目と２頁目と３頁目がカラー原稿で残りが白黒原稿で構成されるカラー白黒混在原稿を、インサータ出力モードで処理する場合、例えば、図１７（ａ）に示すように、インサータ出力モードにおいて３枚の原稿（カラー白黒混在原稿内に含まれるカラー原稿に相当）ｐ１〜ｐ３を順に読み取るとすると、読み取った順に各原稿ｐ１〜ｐ３の画像がメモリに格納される。このとき、読み取った原稿ｐ１の画像に対しては、その所定位置（ここでは上部）に先頭画マークデータが付加されてメモリに格納されることになる。この先頭マークデータは予めメモリに格納されているデータである。そして最終原稿ｐ３の読取が終了すると、メモリから最終ページに対応する画像（原稿ｐ３の画像）が読み出されてシート上にカラー画像形成され、このシートは設定されたモード（ＳモードまたはＦモード）で決定される積載ビン３１に出力される。次いで、最終ページの前ページに対応する画像（原稿ｐ２）が読み出されてカラー画像形成が行われ、その画像形成済みのシートが積載ビン３１の最終ページに対応するシート上に積載される。次いで、先頭ページに対応する画像（原稿ｐ１）が読み出されてカラー画像形成が行われ、そのシートは積載ビン３１のシート束の最上位置に積載される。この先頭ページ（１ページ目）に対応する画像データには先頭マークデータが付加されているから、１ページ目に対応するシートには、図１７（ｂ）に示すように、シートＳ１の上部に先頭マークデータが示す画像（図中の「■」）が付加されることになる。他のページに対応するシートＳ２，Ｓ３には、当然のことながら、先頭マークデータが示す画像は付加されない。
【０１８０】
このようにして、１ページ目に対応するシートには、そのシートが１ページ目であることを示す画像が付加されることになる。よって、ＳモードまたはＦモードによって、出力されたシート束において１ページ目のシートを識別することが可能になり、このシート束をインサータにセットする際に１ページ目のシートを基準にしてセットすることによって、シートのページ順を誤ることなくシートのセットを行うことができる。
【０１８１】
また、上記説明においては、先頭マークデータを画像データのシート上部に対応する位置に付加する例を示したが、図１７（ｃ）に示すように、先頭マークデータの位置およびその数を変更することも可能である。この場合、インサータの機種情報に基づき先頭マークデータの位置およびその数を変更することが好ましい。例えば、インサータがインサート紙をその後端を基準にセットするようなものであるときには、１ページ目のシートの後端（下部）に先頭マークを付加するなど、インサータにおけるインサート紙のセット形態に適した位置に先頭マークを付加することが可能になる。また、シートの表面（画像形成面）に代えてシート裏面に先頭マークを付加することも可能である。
【０１８２】
次に、本実施の形態におけるインサータ出力モードについて図１８ないし図２１を参照しながら説明する。このインサータ出力モードはＣＰＵ回路部２００により制御される。
【０１８３】
図１８を参照するに、まずステップＳ１３１において合紙作成キー６４２が押下されたか否かを判定し、合紙作成キー６４２が押下されると、ステップＳ１３２に進み、１ビンインサータキー６４３、３ビンインサータキー６４４、５ビンインサータキー６４５のいずれかの押下に応じてインサータの機種を選択する。これにより、インサータ機種に応じた出力部数が設定される。そしてステップＳ１３３に進み、ソフトキー６４０，６４１のいずれかを押下に応じて、インサータ出力モードにおけるＳモードまたはＦモードを設定する。これにより、インサータ出力モードが設定されたことになる。
【０１８４】
次いで、ステップＳ１３４に進み、スタートキー６１４の押下を待つ。これに対し、上記ステップＳ１３１において合紙作成キー６４２が押下されていないと判定すると、上記ステップＳ１３２および１３３をスキップしてステップＳ１３４に進み、スタートキー６１４の押下を待つ。
【０１８５】
スタートキー６１４が押下されると、ステップＳ１３５に進み、原稿カウンタを「０」にクリアし、続くステップＳ１３６で、インサート出力モードにおける画像形成対象のカラー原稿のみを読み取るためのカラー原稿判別モードが設定されているか否かを判定し、このカラー原稿判別モードが設定されていないときには、通常の原稿読取動作を行うと判断してステップＳ１３９に進み、原稿積載トレイ５０に積載された原稿ｐを１枚づつ順に原稿台ガラス７８上に搬送し、この搬送された原稿を読み取り、図１９に示すステップＳ１４０に進む。ステップＳ１４０では、インサータ出力モードが選択されているか否かを判定する。ここでは、インサータ出力モードが設定されていないから、ステップＳ１４３に進み、読み取った原稿の画像をメモリに格納し、続くステップＳ１４４で原稿カウンタを１インクリメントする。そして、ステップＳ１４５に進み、最終原稿の読取が終了したか否かを判定し、最終原稿の読取が終了していないときには、上記ステップＳ１３６に戻り、次の原稿の読取を行う。最終原稿の読取が終了すると、ステップＳ１４６に進む。
【０１８６】
上記ステップＳ１３６においてカラー原稿判別モードが設定されていると判定されると、ステップＳ１３７に進み、自動原稿給送部５１に設けられた原稿判別センサの出力に基づきこの原稿がカラー原稿であるか否かを判定するためのプレ原稿読取を行う。そしてステップＳ１３８において、このプレ原稿読取の結果に基づき原稿がカラー原稿であるか否かを判定し、この原稿がカラー原稿であるときには、ステップＳ１３９に進み、この原稿を読み取り、そして、図１９に示すステップＳ１４０に進み、インサータ出力モードが選択されているか否かを判定する。インサータ出力モードが選択されているときには、ステップＳ１４１に進み、原稿カウンタのカウント値が「０」であるか否かを判定する。原稿カウンタのカウント値が「０」であるときには、この原稿が１ページ目に対応する原稿であると判断してステップＳ１４２に進み、画像データに先頭マークデータを付加し、続くステップＳ１４３で先頭マークデータが付加された画像データをメモリに格納する。そして、ステップＳ１４４において原稿カウンタを１インクリメントし、続くステップＳ１４５において、最終原稿の読取が終了したか否かを判定し、最終原稿の読取が終了していないときには、上記ステップＳ１３６に戻り、カラー原稿であるか否かの判別モードが設定されているか否かの判定を行う。
【０１８７】
上記ステップＳ１３８において原稿がカラー原稿でないと判定されると、上記ステップＳ１３９〜１４４をスキップして上記ステップＳ１４５に進む。すなわち、ここでカラー原稿でないと判定された原稿は読取が行われずにそのまま排紙される。そして、最終原稿の読取が終了すると、ステップＳ１４６に進む。
【０１８８】
ステップＳ１４６では、インサータ出力モードが選択されているか否かを判定し、インサータ出力モードが選択されていないときには、ステップＳ１４８に進み、メモリに格納されている画像を順に読み出してシート上に画像形成を行い、このシートをビンユニット５に出力する。そしてステップＳ１４９において、ジョブが終了したか否かを判定し、ジョブが終了していないときには、上記ステップＳ１４８に戻る。そして、ジョブが終了すると、上記ステップＳ１３１（図１８に示す）に戻る。
【０１８９】
上記ステップＳ１４６においてインサータ出力モードが設定されていると判定されると、ステップＳ１４７に進み、Ｓモードが設定されているか否かを判定し、Ｓモードが設定されていると、図２０に示すステップＳ１５０に進む。ステップＳ１５０では、原稿カウンタ、排紙ビン指定カウンタ、排紙ビン収納枚数カウンタ、インサータ出力枚数カウンタをそれぞれ「０」にクリアする。
【０１９０】
次いで、ステップＳ１５２に進み、原稿カウンタを１インクリメントし、続くステップＳ１５３で、原稿カウンタのカウント値に対応する枚数目の原稿画像のプリント動作を行う。そして、ステップＳ１５４に進み、排紙ビン収納枚数カウンタを１インクリメントし、続くステップＳ１５５で、インサータ出力枚数カウンタを１インクリメントする。
【０１９１】
次いで、ステップＳ１５６に進み、このインサータ出力モードによるジョブが終了したか否かを判定し、このジョブが終了していないときには、ステップＳ１５７に進み、インサータ出力枚数カウンタのカウント値が置数（上記ステップＳ１３２でインサータ機種に応じて設定された出力部数）に一致したか否かを判定し、一致しなければ、ステップＳ１５８に進み、排紙ビン収納枚数カウンタのカウント値が１ビン収納可能枚数に一致したか否かを判定する。排紙ビン収納枚数カウンタのカウント値が１ビン収納可能枚数に一致しないと、上記ステップＳ１５３に戻り、原稿カウンタのカウント値に対応する枚数目の原稿画像のプリント動作を続行する。
【０１９２】
排紙ビン収納枚数カウンタのカウント値が１ビン収納可能枚数に一致すると、原稿カウンタのカウント値に対応する枚数目の原稿の画像形成されたシートを現在の積載ビンに積載することができないと判断して、ステップＳ１５９に進み、排紙ビン指定カウンタを１インクリメントして次の積載ビンを指定し、続くステップＳ５５で、排紙ビン収納枚数カウンタを「０」にクリアして上記ステップＳ１５３に戻る。
【０１９３】
上記ステップＳ１５７においてインサータ出力枚数カウンタのカウント値が置数に一致したと判定すると、ステップＳ１６１に進み、インサータ出力枚数カウンタを「０」にクリアし、続くステップＳ１６２で排紙ビン収納枚数カウンタを「０」にクリアし、そしてステップＳ１６３で排紙ビン指定カウンタを１インクリメントし、上記ステップＳ１５２に戻り、原稿カウンタを１インクリメントし、次の枚数目の原稿画像のプリント動作を行う。
【０１９４】
上記ステップＳ１５６においてジョブが終了したと判定すると、ステップＳ１６４に進み、インサータ出力モードをクリアし、上記ステップＳ１３１に戻る。
【０１９５】
上記ステップＳ１４７においてＦモードが設定されていると判定すると、図２１に示すステップＳ１６４に進み、原稿カウンタ、排紙ビン指定カウンタ、排紙ビン収納枚数カウンタ、インサータ出力枚数カウンタをそれぞれ「０」にクリアする。
【０１９６】
次いで、ステップＳ１６５に進み、原稿カウンタのカウント値が原稿枚数に一致するか否かを判定し、一致すれば、ステップＳ１６６に進み、原稿カウンタを「０」にクリアし、ステップＳ１６７に進む。これに対し、原稿カウンタのカウント値が原稿枚数に一致していないときには、ステップＳ１６７をスキップしてステップＳ１６８に進む。
【０１９７】
ステップＳ１６８では、原稿カウンタを１インクリメントし、続くステップＳ１６９で、原稿カウンタのカウント値に対応する枚数目の原稿画像のプリント動作を行う。そして、ステップＳ１７０に進み、排紙ビン収納枚数カウンタを１インクリメントし、続くステップＳ１７１で、インサータ出力枚数カウンタを１インクリメントする。
【０１９８】
次いで、ステップＳ１７１に進み、このインサータ出力モードによるジョブが終了したか否かを判定し、このジョブが終了していないときには、ステップＳ１７３に進み、インサータ出力枚数カウンタのカウント値がインサータ収納予定枚数（上記ステップＳ１３２でインサータ機種に応じて設定された出力部数）に一致したか否かを判定し、一致しなければ、ステップＳ１７４に進み、排紙ビン収納枚数カウンタのカウント値が排紙ビン収納可能枚数に一致したか否かを判定する。排紙ビン収納枚数カウンタのカウント値が排紙ビン収納可能枚数に一致しないときには、上記ステップＳ１６５に戻り、原稿カウンタのカウント値に対応する枚数目の原稿画像のプリント動作を続行する。
【０１９９】
排紙ビン収納枚数カウンタのカウント値が排紙ビン収納可能枚数に一致すると、原稿カウンタのカウント値に対応する枚数目の原稿の画像形成されたシートを現在の積載ビンに積載することができないと判断して、ステップＳ１７５に進み、排紙ビン指定カウンタを１インクリメントして次の積載ビンを指定し、続くステップＳ１７６で、排紙ビン収納枚数カウンタを「０」にクリアして上記ステップＳ１６５に戻る。
【０２００】
上記ステップ１７３においてインサータ出力枚数カウンタのカウント値がインサータ収納予定枚数に一致したと判定すると、所定の枚数分のシートが１つの積載ビンに出力された判断してステップＳ１７７に進み、インサータ出力枚数カウンタを「０」にクリアし、続くステップＳ１７８で排紙ビン収納枚数カウンタを「０」にクリアし、そしてステップＳ１７９で排紙ビン指定カウンタを１インクリメントし、上記ステップＳ１６５に戻る。
【０２０１】
上記ステップＳ１７１においてジョブが終了した判定すると、ステップＳ１７２に進み、インサータ出力モードをクリアし、そして上記ステップＳ１３１に戻る。
【０２０２】
（実施の第７形態）
次に、本発明の実施の第７形態について図２２ないし図２６を参照しながら説明する。図２２ないし図２６は本発明の画像形成装置の実施の第７形態におけるインサータ出力紙モードの手順を示すフローチャートである。
【０２０３】
本実施の形態は、上述の実施の第２形態に対し、インサータの機種情報に応じて設定された出力部数に対してその１部の出力を完了する毎にインサータ出力モードの実行を一時停止し、スタートキーの押下によりインサータ出力モードを再開するように構成されている点で異なる。
【０２０４】
本実施の形態におけるインサータ出力モードでは、図２２に示すように、まずステップＳ１８１において合紙作成キー６４２が押下されたか否かを判定し、合紙作成キー６４２が押下されると、ステップＳ１８２に進み、１ビンインサータキー６４３、３ビンインサータキー６４４、５ビンインサータキー６４５のいずれかの押下に応じてインサータの機種を選択する。これにより、インサータ機種に応じた出力部数が設定される。そしてステップＳ１８３に進み、ソフトキー６４０，６４１のいずれかを押下に応じて、インサータ出力モードにおけるＳモードまたはＦモードを設定する。これにより、インサータ出力モードが設定されたことになる。
【０２０５】
次いで、ステップＳ１８４に進み、スタートキー６１４の押下を待つ。これに対し、上記ステップＳ１８１において合紙作成キー６４２が押下されていないと判定すると、上記ステップＳ１８２および１８３をスキップしてステップＳ１８４に進み、スタートキー６１４の押下を待つ。
【０２０６】
スタートキー６１４が押下されると、ステップＳ１８５に進み、自動原稿給送部５１に設けられた原稿判別センサの出力に基づき原稿がカラー原稿であるか否かを判別するためのカラー原稿判別モードが設定されているか否かを判定し、カラー原稿判別モードが設定されていないときには、通常の原稿読取動作を行うと判断してステップＳ１８８に進み、原稿積載トレイ５０に積載された原稿ｐを１枚づつ順に原稿台ガラス７８上に搬送し、この搬送された原稿を読み取り、続くステップＳ１８９で、読み取った原稿の画像をメモリに格納する。そして、ステップＳ１９０において最終原稿の読取が終了したか否かを判定し、最終原稿の読取が終了していないときには、上記ステップＳ１８５に戻り、次の原稿の読取を行う。最終原稿の読取が終了すると、ステップＳ１９１に進む。
【０２０７】
上記ステップＳ１８５においてカラー原稿判別モードが設定されていると判定されると、ステップＳ１８６に進み、自動原稿給送部５１カラー原稿の給送を開始し、この原稿がカラー原稿であるか否かを判定するためのプレ原稿読取を行い、続くステップＳ１８７でプレ原稿読取の結果に基づき原稿がカラー原稿であるか否かを判定する。この原稿がカラー原稿であるときには、この原稿が読み取るべき原稿であると判断してステップＳ１８８に進み、給送された原稿の読取を行い、続くステップＳ１８９でこの読み取った原稿の画像をメモリに格納する。そして、ステップＳ１９０に進み、最終原稿の読取が終了したか否かを判定し、最終原稿の読取が終了していないときには、上記ステップＳ１８５に戻り、次の原稿の給送を開始してカラー原稿判別を行う。
【０２０８】
上記ステップＳ１８７において原稿がカラー原稿でないと判定されると、上記ステップＳ１８６および１８７をスキップして上記ステップＳ１９０に進む。すなわち、ここでカラー原稿でないと判定された原稿は読取が行われずにそのまま排紙される。そして、最終原稿の読取が終了すると、ステップＳ１９１に進む。
【０２０９】
ステップＳ１９１では、インサータ出力モードが選択されているか否かを判定し、インサータ出力モードが選択されていないときには、ステップＳ１９３に進み、メモリに格納されている画像を順に読み出してシート上に画像形成を行い、このシートをビンユニット５に出力する。そして、ステップＳ１９４において、ジョブが終了したか否かを判定し、ジョブが終了していないときには、上記ステップＳ１９３に戻る。ジョブが終了すると、上記ステップＳ１８１に戻る。
【０２１０】
上記ステップＳ１９１においてインサータ出力モードが設定されていると判定されると、ステップＳ１９２に進み、Ｓモードが設定されているか否かを判定し、Ｓモードが設定されていると、図２３に示すステップＳ１９５に進む。ステップＳ１９５では、原稿カウンタ、排紙ビン指定カウンタ、排紙ビン収納枚数カウンタ、インサータ出力枚数カウンタをそれぞれ「０」にクリアする。
【０２１１】
次いで、ステップＳ１９６に進み、原稿カウンタを１インクリメントし、続くステップＳ１９７で、原稿カウンタのカウント値に対応する枚数目の原稿画像のプリント動作を行う。そして、ステップＳ１９８に進み、排紙ビン収納枚数カウンタを１インクリメントし、続くステップＳ１９９で、インサータ出力枚数カウンタを１インクリメントする。
【０２１２】
次いで、ステップＳ２００に進み、このインサータ出力モードによるジョブが終了したか否かを判定し、このジョブが終了していないときには、ステップＳ２０１に進み、インサータ出力枚数カウンタのカウント値が置数（上記ステップＳ１８２でインサータ機種に応じて設定された出力部数）に一致したか否かを判定し、一致しなければ、ステップＳ２０２に進み、排紙ビン収納枚数カウンタのカウント値が１ビン収納可能枚数に一致したか否かを判定する。排紙ビン収納枚数カウンタのカウント値が１ビン収納可能枚数に一致しないときには、上記ステップＳ１９７に戻り、原稿カウンタのカウント値に対応する枚数目の原稿画像のプリント動作を続行する。
【０２１３】
排紙ビン収納枚数カウンタのカウント値が１ビン収納可能枚数に一致すると、原稿カウンタのカウント値に対応する枚数目の原稿の画像形成されたシートを現在の積載ビンに積載することができないと判断して、ステップＳ２０３に進み、排紙ビン指定カウンタを１インクリメントして次の積載ビンを指定し、続くステップＳ２０４で、排紙ビン収納枚数カウンタを「０」にクリアして上記ステップＳ１９７に戻る。
【０２１４】
上記ステップＳ２０１においてインサータ出力枚数カウンタのカウント値が置数に一致したと判定すると、１部のシート束の出力が終了したと判断して、２４に示すステップＳ２０５に進み、プリント動作を中止してスタートキー６１４の押下を待つ。スタートキー６１４が押下されると、ステップＳ２０６に進み、排紙ビン内にシートがあるか否かを判定し、シートがあれば、現在の排紙ビンに排紙されたシートが残存していると判断してステップＳ２０７に進み、排紙ビン指定カウンタを１インクリメントする。そして、ステップＳ２０９に進み、インサータ出力枚数カウンタを「０」にクリアし、続くステップＳ２１０で排紙ビン収納枚数カウンタを「０」にクリアする。そして、上記ステップＳ１９６に戻る。これに対し、現在の排紙ビンにシートがなければ、現在の排紙ビンへのシートの排紙が可能であると判断してステップＳ２０８に進み、排紙カウンタを「０」にクリアし、そして上記ステップＳ２０９および２１０を経て上記ステップＳ１９６に戻る。
【０２１５】
上記ステップＳ２００において、ジョブが終了したと判定されると、ステップＳ２１１に進み、インサータ出力モードをクリアし、上記ステップＳ１８１に戻る。
【０２１６】
上記ステップＳ１９２においてＦモードが設定されていると判定すると、図２５に示すステップＳ２１２に進み、原稿カウンタ、排紙ビン指定カウンタ、排紙ビン収納枚数カウンタ、インサータ出力枚数カウンタをそれぞれ「０」にクリアする。
【０２１７】
次いで、ステップＳ２１３に進み、原稿カウンタのカウント値が原稿枚数に一致するか否かを判定し、一致すれば、ステップＳ２１４に進み、原稿カウンタを「０」にクリアし、ステップＳ２１５に進む。これに対し、原稿カウンタのカウント値が原稿枚数に一致していないときには、ステップＳ２１３をスキップしてステップＳ２１５に進む。
【０２１８】
ステップＳ２１５では、原稿カウンタを１インクリメントし、続くステップＳ２１６で、原稿カウンタのカウント値に対応する枚数目の原稿画像のプリント動作を行う。そして、ステップＳ２１７に進み、排紙ビン収納枚数カウンタを１インクリメントし、続くステップＳ２１８で、インサータ出力枚数カウンタを１インクリメントする。
【０２１９】
次いで、ステップＳ２１９に進み、このインサータ出力モードによるジョブが終了したか否かを判定し、このジョブが終了していないときには、ステップＳ２２０に進み、インサータ出力枚数カウンタのカウント値がインサータ収納予定枚数（上記ステップＳ１８２でインサータ機種に応じて設定された出力部数）に一致したか否かを判定し、一致しなければ、ステップＳ２２１に進み、排紙ビン収納枚数カウンタのカウント値が排紙ビン収納可能枚数に一致したか否かを判定する。排紙ビン収納枚数カウンタのカウント値が排紙ビン収納可能枚数に一致しないときには、上記ステップＳ２１３に戻り、原稿カウンタのカウント値に対応する枚数目の原稿画像のプリント動作を続行する。
【０２２０】
排紙ビン収納枚数カウンタのカウント値が排紙ビン収納可能枚数に一致すると、原稿カウンタのカウント値に対応する枚数目の原稿の画像形成されたシートを現在の積載ビンに積載することができないと判断して、ステップＳ２２２に進み、排紙ビン指定カウンタを１インクリメントして次の積載ビンを指定し、続くステップＳ２２３で、排紙ビン収納枚数カウンタを「０」にクリアして上記ステップＳ２１３に戻る。
【０２２１】
上記ステップＳ２２０においてインサータ出力枚数カウンタのカウント値がインサータ収納予定枚数に一致したと判定すると、所定の枚数分のシートが１つの積載ビンに出力された判断してステップＳ２２４に進み、１部のシート束の出力が終了したと判断して図２６に示すステップＳ２２４に進み、プリント動作を中止してスタートキー６１４の押下を待つ。スタートキー６１４が押下されると、ステップＳ２２５に進み、現在の積載ビン内にシートがあるか否かを判定し、シートがあれば、現在の積載ビンに排紙されたシートが残存していると判断してステップＳ２２６に進み、排紙ビン指定カウンタを１インクリメントする。そして、ステップＳ２２８に進み、インサータ出力枚数カウンタを「０」にクリアし、続くステップＳ２２９で排紙ビン収納枚数カウンタを「０」にクリアする。そして、上記ステップＳ２１３に戻る。これに対し、現在の積載ビンにシートがなければ、現在の積載ビンへのシートの排紙が可能であると判断してステップＳ２２７に進み、排紙ビン指定カウンタを「０」にクリアし、そして上記ステップＳ２２８および２１０を経て上記ステップＳ２１３に戻る。
【０２２２】
上記ステップＳ２１９において、ジョブが終了したと判定されると、ステップＳ２３０に進み、インサータ出力モードをクリアし、上記ステップＳ１８１に戻る。
【０２２３】
このように、本実施の形態では、インサータの機種情報に応じて設定された出力部数に対してその１部の出力を完了する毎にインサータ出力モードの実行を一時停止し、スタートキーの押下によりインサータ出力モードを再開するから、１部シート束に次の１部シート束を構成するシートが混在することがなく、インサータにセットする１部シート束を確実に積載ビンから取り出すことができる。その結果、この１部シート束のインサータへのセットを誤りなく確実にセットすることができる。また、ＳモードまたはＦモードのいずれのモードにおいても、同様にインサータ出力モードの実行を一時停止するから、ＳモードまたはＦモードで出力された１部シート束のインサータへのセットを誤りなく確実にセットすることができる。
【０２２４】
（実施の第８形態）
次に、本発明の実施の第８形態について図２７ないし図３４を参照しながら説明する。図２７はシートの排紙形態に関する課題例を示す図、図２８は本発明の画像形成装置の実施の第８形態における排紙形態例を示す図、図２９および図３０は本発明の画像形成装置の実施の第８形態におけるインサータ出力モードの手順を示すフローチャート、図３１は図３０のステップＳ２５４のＳモードでのプリント動作を示すフローチャート、図３２は図３０のステップＳ２５５のＦモードでのプリント動作を示すフローチャート、図３３および図３４は図３０のステップＳ２５８のＦモードでのプリント動作を示すフローチャートである。
【０２２５】
本実施の形態は、上述の実施の第２形態に対し、Ｆモードにおいて、インサート紙として出力されるシートを部数単位でビンユニット５の各積載ビン３１に振り分けて出力する点で異なる。
【０２２６】
インサート紙として出力されるシートを部数順にビンユニット５の各積載ビン３１に振り分けて出力するＦモードにおいて、図２７（ａ）に示すように、最初の積載ビン（ビン＃１）に最初の１部シート束が排紙され、続いて次のシート束が排紙される。ここで、積載されたシートの総枚数がこのビン＃１の収納可能枚数に達していなければ、さらに次のシート束の排紙が開始される。このシート束の排紙途中において、積載されたシートの総枚数がこのビン＃１の収納可能枚数に達すると、次のビン＃２が排紙先として指定され、このビン＃２にシート束の一部シートが排紙されることになる。すなわち、あるシート束に関してはそのシートが別々の積載ビンに排紙されることになる。このよう場合には、出力された複数部数のシート束をインサータにセットする際に、別々の積載ビンに分かれて積載されたシートを合せてシート束にする必要があり、手間が掛る。また、誤ってシートが分かれた状態でインサータにセットされる可能性がある。
【０２２７】
そこで、１つのシート束を構成するシートが別々の積載ビンに積載されることを防止するために、本実施の形態では、１つの積載ビン３１における収納可能枚数Ｓａと１部シート束のシート枚数Ｓｘとから１つの積載ビン３１に収納可能シート束部数Ｓｂを次の（１）式により算出する。
【０２２８】
Ｓｂ＝Ｓａ／Ｓｘ                                      …  （１）
ここで、Ｓｂは上記式から得られた商の最大の整数値とする。
【０２２９】
そして、この収納可能シート束部数Ｓｂから実際に積載ビンに収納可能なシート枚数Ｓｓを次の（２）式に従い算出し、この枚数をシート収納予定枚数Ｓｓとして設定する。
【０２３０】
Ｓｓ＝Ｓｘ×Ｓｂ                                        …  （２）
積載ビンに排紙されたシート枚数がシート収納予定枚数Ｓｓに到達すると、積載ビンの切換を行う。これにより、１つのシート束を構成するシートが別々の積載ビンに積載されることはなく、インサート紙として出力されるシートを部数単位でビンユニット５の各積載ビン３１に振り分けて出力することが可能になる。よって、図２７（ｂ）に示すように、ビン＃１に最初の１部シート束が排紙され、続いて次のシート束が排紙される。ここで、２部シート束分のシート枚数が排紙ビン収納予定枚数として設定されていれば、次のビン＃２が排紙先として指定され、このビン＃２にさらに次のシート束が排紙されることになる。その結果、ビンユニット５の各積載ビン３１には束単位でシート束が排紙されることになり、例えば図２８に示すように、各ビン出力された複数部数のシート束をインサータにセットする際に、別々の積載ビンに分かれて積載されたシートを合せてシート束にする必要がなく、各ビンに積載されたシート束をそのままインサータにセットすることが可能になる。
【０２３１】
本実施の形態におけるインサータ出力モードでは、図２９に示すように、まずステップＳ２４１において合紙作成キー６４２が押下されたか否かを判定し、合紙作成キー６４２が押下されると、ステップＳ２４２に進み、１ビンインサータキー６４３、３ビンインサータキー６４４、５ビンインサータキー６４５のいずれかの押下に応じてインサータの機種を選択する。これにより、インサータ機種に応じた出力部数が設定される。そしてステップＳ２４３に進み、ソフトキー６４０，６４１のいずれかを押下に応じて、インサータ出力モードにおけるＳモードまたはＦモードを設定する。これにより、インサータ出力モードが設定されたことになる。
【０２３２】
次いで、ステップＳ２４４に進み、スタートキー６１４の押下を待つ。これに対し、上記ステップＳ２４１において合紙作成キー６４２が押下されていないと判定すると、上記ステップＳ２４２およびＳ２４３をスキップしてステップＳ２４４に進み、スタートキー６１４の押下を待つ。
【０２３３】
スタートキー６１４が押下されると、ステップＳ２４５に進み、原稿がカラー原稿であるか否かを判別するためのカラー原稿判別モードが設定されているか否かを判定し、カラー原稿判別モードが設定されていないときには、通常の原稿読取動作を行うと判断してステップＳ２４８に進み、原稿積載トレイ５０に積載された原稿ｐを１枚づつ順に原稿台ガラス７８上に搬送し、この搬送された原稿を読み取り、続くステップＳ２４９で、読み取った原稿の画像をメモリに格納する。そして、ステップＳ２５０において最終原稿の読取が終了したか否かを判定し、最終原稿の読取が終了していないときには、上記ステップＳ２４５に戻り、次の原稿の読取を行う。そして最終原稿の読取が終了すると、図３０に示すステップＳ２５１に進む。
【０２３４】
上記ステップＳ２４５においてカラー原稿判別モードが設定されていると判定されると、ステップＳ２４６に進み、自動原稿給送部５１カラー原稿の給送を開始し、自動原稿給送部５１に設けられた原稿判別センサにより原稿がカラー原稿であるか否かを判別するためのプレ原稿読取を行い、続くステップＳ２４７でプレ原稿読取の結果に基づき原稿がカラー原稿であるか否かを判定する。この原稿がカラー原稿であるときには、この原稿が読み取るべき原稿であると判断してステップＳ２４８に進み、給送された原稿の読取を行い、続くステップＳ２４９でこの読み取った原稿の画像をメモリに格納する。そして、ステップＳ２５０に進み、最終原稿の読取が終了したか否かを判定し、最終原稿の読取が終了していないときには、上記ステップＳ２４５に戻り、次の原稿の給送を開始してカラー原稿判別を行う。
【０２３５】
上記ステップＳ２４７において原稿がカラー原稿でないと判定されると、上記ステップＳ２４６およびＳ２４７をスキップして上記ステップＳ２５０に進む。すなわち、ここでカラー原稿でないと判定された原稿は読取が行われずにそのまま排紙される。そして、最終原稿の読取が終了すると、図３０に示すステップＳ２５１に進む。
【０２３６】
ステップＳ２５１では、インサータ出力モードが選択されているか否かを判定し、インサータ出力モードが選択されていないときには、ステップＳ２５９に進み、メモリに格納されている画像を順に読み出してシート上に画像形成を行い、このシートをビンユニット５に出力する。そして、ステップＳ２６０において、ジョブが終了したか否かを判定し、ジョブが終了していないときには、上記ステップＳ２５９に戻る。ジョブが終了すると、上記ステップＳ２４１に戻る。
【０２３７】
上記ステップＳ２５１においてインサータ出力モードが設定されていると判定されると、ステップＳ２５２に進み、インサータの１つの給紙段における収納可能枚数が１つの積載ビンの収納可能枚数より大きいか否かを判定する。インサータの１つの給紙段における収納可能枚数が１つの積載ビンの収納可能枚数以下のときにときには、ステップＳ２５３に進み、Ｓモードが設定されているか否かを判定し、Ｓモードが設定されていると、ステップＳ２５４に進み、Ｓモードでのプリント動作を行う。これに対し、Ｓモード設定されていないときには、Ｆモードが設定されていると判断してステップＳ２５５に進み、Ｆモードのプリント動作を行う。
【０２３８】
上記ステップＳ２５２においてインサータの１つの給紙段における収納可能枚数が１つの積載ビンの収納可能枚数より大きいときには、ステップＳ２５６に進み、Ｓモードが設定されているか否かを判定し、Ｓモードが設定されていると、ステップＳ２５７に進み、Ｓモードでのプリント動作を行う。これに対し、Ｓモード設定されていないときには、Ｆモードが設定されていると判断してステップＳ２５８に進み、Ｆモードのプリント動作を行う。
【０２３９】
上記ステップＳ２５４のＳモードのプリント動作においては、図３１に示すように、まずステップＳ３０１で、原稿カウンタ、排紙ビン指定カウンタ、排紙ビン収納枚数カウンタをそれぞれ「０」にクリアする。
【０２４０】
次いで、ステップＳ３０２に進み、原稿カウンタを１インクリメントし、続くステップＳ３０３で、原稿カウンタのカウント値に対応する枚数目の原稿画像のプリント動作を行う。そして、ステップＳ３０４に進み、排紙ビン収納枚数カウンタのカウント値が置数（上記ステップＳ２４２でインサータ機種に応じて設定された出力部数）に一致したか否かを判定し、一致しなければ、上記ステップＳ３０４に戻る。排紙ビン収納枚数カウンタのカウント値が置数に一致すると、ステップＳ３０７に進み、ジョブが終了したか否かを判定し、ジョブが終了していなければ、ステップＳ３０９に進み、排紙ビン収納枚数カウンタを「０」にクリアし、続くステップＳ３１０で、排紙ビン指定カウンタを１インクリメントする。そして、上記ステップＳ３０２に戻り、原稿カウンタを１インクリメントし、次の原稿画像のプリント動作を続行する。
【０２４１】
上記ステップＳ３０７においてジョブが終了した判定されると、ステップＳ３０８に進み、インサータ出力モードをクリアし、上記ステップＳ２４１に戻る。
【０２４２】
上記ステップＳ２５５のＦモードのプリント動作では、図３２に示すように、ステップＳ３１１に進み、原稿カウンタ、排紙ビン指定カウンタ、排紙ビン収納枚数カウンタをそれぞれ「０」にクリアする。続くステップＳ３１２では、排紙ビン収納予定枚数を算出する。この算出方法は、上述した方法と同じである。
【０２４３】
次いで、ステップＳ３１３に進み、原稿カウンタを１インクリメントし、続くステップＳ３１４でプリント動作を行う。そして、排紙ビン収納枚数カウンタを１インクリメントし、続くステップＳ３１６で、ジョブが終了したか否かを判定する。このジョブが終了していないときには、ステップＳ３１７に進み、排紙ビン収納枚数カウンタのカウント値が排紙ビン収納予定枚数に一致したか否かを判定し、一致しなければ、ステップＳ３２０に進み、原稿カウンタのカウント値が読み取った原稿枚数に一致したか否かを判定し、一致しなければ、上記ステップＳ３１３に戻る。次の原稿のプリント動作を行う。一致すれば、ステップ３２１に進み、原稿カウンタを「０」にクリアし、上記ステップＳ３１３に戻って次のシート束に対するプリント動作を行う。
【０２４４】
上記ステップＳ３１７で排紙ビン収納枚数カウンタのカウント値が排紙ビン収納予定枚数に一致したと判定すると、次のシート束のシートを現在の積載ビンに積載することはできないと判断してステップＳ３１８に進み、排紙ビン指定カウンタを１インクリメントし、排紙ビン収納枚数カウンタを「０」にクリアする。そして、ステップＳ３２０に進み、原稿カウンタのカウント値が読み取った原稿枚数に一致したか否かを判定する。ここでは、排紙ビン収納枚数カウンタのカウント値が排紙ビン収納予定枚数に一致したことにより、原稿カウンタのカウント値が原稿枚数に一致することになる。そしてステップ３２１に進み、原稿カウンタを「０」にクリアし、上記ステップＳ３１３に戻り、次のシート束に対するプリント動作を行う。
【０２４５】
上記ステップＳ２５７のＳモードでのプリント動作の手順は、図２０のフローチャートに示す手順と同じであり、ここでは、その説明を省略する。
【０２４６】
上記ステップＳ２５８のＦモードでのプリント動作では、図３３に示すように、まず、排紙ビン収納可能束数をかステップＳ３５１において原稿カウンタ、排紙ビン指定カウンタ、排紙ビン収納枚数カウンタ、インサータ出力枚数カウンタをそれぞれ「０」にクリアし、続くステップＳ３５２では、排紙ビン収納予定枚数を上記（１），（２）式に従い算出する。そして、ステップＳ３５３でインサータ収納予定枚数を算出する。
【０２４７】
ここで、このインサータ収納予定数は、インサータにおける１つの給紙ビンにおける収納可能枚数Ｉａと１部シート束のシート枚数Ｓｘとからこの給紙ビンに収納可能シート束部数Ｉｂを次の（３）式により算出する。
【０２４８】
Ｉｂ＝Ｉa／Ｓx                                       …  （３）
ここで、Ｉｂは上記式から得られた解の最大の整数値とする。そして、この収納可能シート束部数Ｉｂから実際に給紙ビンに収納可能なシート枚数Ｉｓを次の（４）式に従い算出し、この枚数をインサータ収納予定枚数Ｉｓとして設定する。
【０２４９】
Ｉs＝Ｓx×Ｉb                                        …  （４）
次いで、ステップＳ３５４に進み、原稿カウンタを１インクリメントし、続くステップＳ３５５で、原稿カウンタのカウント値に対応する枚数目の原稿画像のプリント動作を行う。そして、ステップＳ３５６に進み、排紙ビン収納枚数カウンタを１インクリメントし、続くステップＳ３５７で、インサータ出力枚数カウンタを１インクリメントする。
【０２５０】
次いで、ステップＳ３５８に進み、このインサータ出力モードによるジョブが終了したか否かを判定し、このジョブが終了すると、ステップＳ３６７に進み、インサータ出力モードをクリアし、上記ステップＳ２４１に戻る。このジョブが終了していないときには、図３４に示すステップＳ３５９に進み、排紙ビン収納枚数カウンタのカウント値が排紙ビン収納予定枚数に一致したか否かを判定する。排紙ビン収納枚数カウンタのカウント値が排紙ビン収納予定枚数に一致すると、現在の積載ビンに複数部数のシート束が積載され、これ以降のシート束の積載を行うことができないと判断してステップＳ３６４に進み、排紙ビン収納枚数カウンタを「０」にクリアし、続くステップＳ３６５で排紙ビン指定カウンタを１インクリメントする。そして、ステップＳ３６６において、原稿カウンタを「０」にクリアし、上記ステップＳ３５４に戻る。原稿カウンタのカウント値に対応する枚数目の原稿画像のプリント動作を続行する。
【０２５１】
排紙ビン収納枚数カウンタのカウント値が排紙ビン収納予定枚数に一致しないときには、ステップＳ３６０に進み、インサータ出力枚数カウンタのカウント値がインサータ収納予定枚数に一致したか否かを判定し、一致すれば、ステップＳ３６３に進み、インサータ出力枚数カウンタを「０」にクリアする。次いで、ステップＳ３６４に進み、排紙ビン収納枚数カウンタを「０」にクリアし、続くステップＳ３６５において排紙ビン指定カウンタを１インクリメントする。そして、ステップＳ３６６において、原稿カウンタを「０」にクリアし、上記ステップＳ３５４に戻る。原稿カウンタのカウント値に対応する枚数目の原稿画像のプリント動作を続行する。
【０２５２】
上記ステップＳ３６０においてインサータ出力枚数カウンタのカウント値がインサータ収納予定枚数に一致していないと判定すると、ステップＳ３６１に進み、原稿カウンタのカウント値が原稿枚数に一致するか否かを判定し、一致すれば、ステップＳ３６２に進み、原稿カウンタを「０」にクリアし、上記ステップＳ３５４に戻る。
【０２５３】
このように、本実施の形態では、Ｆモードにおいてインサート紙として出力されるシートを部数単位でビンユニット５の各積載ビン３１に振り分けて出力するから、Ｆモードにおいて１部シート束を構成するシートが別々の積載ビンに積載されることはなく、Ｆモードで出力されたシート束のインサータへのセットを誤りなく確実にセットすることができる。
【０２５４】
（実施の第９形態）
次に、本発明の実施の第９形態について図３５ないし図３７を参照しながら説明する。図３５は本発明の画像形成装置の実施の第９形態におけるインサータ出力モードの先頭マークの付加例を示す図、図３６および図３７は本発明の画像形成装置の実施の第９形態におけるインサータ出力モードの手順を示すフローチャートである。
【０２５５】
本実施の形態は、上述の実施の第６形態に対し、インサータ出力モードによりインサート紙として出力されるシートの内の１ページ目に対応するシートの画像形成領域外の領域（余白領域）に先頭マークを付加する点で異なる。
【０２５６】
具体的には、図３５（ａ）に示すように、インサータ出力モードにおいて３枚の原稿ｐ１〜ｐ３を順に読み取るとすると、読み取った順に各原稿ｐ１〜ｐ３の画像がメモリに格納される。このとき、読み取った原稿ｐ１の画像に対しては、その原稿画像領域外の領域の所定位置（ここでは上部）に先頭画マークデータが付加されてメモリに格納されることになる。この先頭マークデータは予めメモリに格納されているデータである。そして最終原稿ｐ３の読取が終了すると、メモリから最終ページに対応する画像（原稿ｐ３の画像）が読み出されてシート上に形成され、このシートは設定されたモード（ＳモードまたはＦモード）で決定される積載ビン３１に出力される。
【０２５７】
次いで、最終ページの前ページに対応する画像（原稿ｐ２）が読み出されて画像形成が行われ、その画像形成済みのシートが積載ビン３１の最終ページに対応するシート上に積載される。次いで、先頭ページに対応する画像（原稿ｐ１）が読み出されて画像形成が行われ、そのシートは積載ビン３１のシート束の最上位置に積載される。この先頭ページ（１ページ目）に対応する画像データには先頭マークデータが付加されているから、１ページ目に対応するシートＳ'１には、図３５（ｂ）に示すように、シートＳ'１の余白部に対応する領域（原稿画像形成領域外）に先頭マークデータが示す画像（図中の「■」）が付加されることになる。他のページに対応するシートＳ'２，Ｓ'３には、当然のことながら、先頭マークデータが示す画像は付加されない。
【０２５８】
このようにして、１ページ目に対応するシートには、そのシートが１ページ目であることを示す画像が付加されることになる。よって、ＳモードまたはＦモードによって、出力されたシート束において１ページ目のシートを識別することが可能になり、このシート束をインサータにセットする際に１ページ目のシートを基準にしてセットすることによって、シートのページ順を誤ることなくシートのセットを行うことができる。
【０２５９】
また、上記説明においては、先頭マークデータを画像データのシート上部に対応する位置に付加する例を示したが、図３５（ｃ）に示すように、先頭マークデータの位置およびその数を変更することも可能である。この場合、インサータの機種情報に基づき先頭マークデータの位置およびその数を変更することが好ましい。例えば、インサータがインサート紙をその後端を基準にセットするようなものであるときには、１ページ目のシートの後端（下部）に先頭マークを付加するなど、インサータにおけるインサート紙のセット形態に適した位置に先頭マークを付加することが可能になる。また、シートの表面（画像形成面）に代えてシート裏面に先頭マークを付加することも可能である。
【０２６０】
次に、本実施の形態におけるインサータ出力モードについて図３６ないし図３７を参照しながら説明する。
【０２６１】
図３６を参照するに、まずステップＳ３７１において合紙作成キー６４２が押下されたか否かを判定し、合紙作成キー６４２が押下されると、ステップＳ３７２に進み、１ビンインサータキー６４３、３ビンインサータキー６４４、５ビンインサータキー６４５のいずれかの押下に応じてインサータの機種を選択する。これにより、インサータ機種に応じた出力部数が設定される。そしてステップＳ３７３に進み、ソフトキー６４０，６４１のいずれかを押下に応じて、インサータ出力モードにおけるＳモードまたはＦモードを設定する。これにより、インサー出力モードが設定されたことになる。
【０２６２】
次いで、ステップＳ３７４に進み、スタートキー６１４の押下を待つ。これに対し、上記ステップＳ３７１において合紙作成キー６４２が押下されていないと判定すると、上記ステップＳ３７２および３７３をスキップしてステップＳ３７４に進み、スタートキー６１４の押下を待つ。
【０２６３】
スタートキー６１４が押下されると、ステップＳ３７５に進み、原稿カウンタを「０」にクリアし、続くステップＳ３７６で、カラー原稿のみを読み取るためのカラー原稿判別モードが設定されているか否かを判定し、このカラー原稿判別モードが設定されていないときには、通常の原稿読取動作を行うと判断してステップＳ３７９に進み、原稿積載トレイ５０に積載された原稿ｐを１枚づつ順に原稿台ガラス７８上に搬送し、この搬送された原稿を読み取り、図３７に示すステップＳ３８０に進む。ステップＳ３８０では、インサータ出力モードが選択されているか否かを判定する。ここでは、インサータ出力モードが設定されていないから、ステップＳ３８４に進み、読み取った原稿の画像をメモリに格納し、続くステップＳ３８５で原稿カウンタを１インクリメントする。そして、ステップＳ３８６に進み、最終原稿の読取が終了したか否かを判定し、最終原稿の読取が終了していないときには、上記ステップＳ３７６に戻り、次の原稿の読取を行う。そして、最終原稿の読取が終了すると、ステップＳ３８７に進む。
【０２６４】
上記ステップＳ３７６においてカラー原稿のみを読み取るためのカラー原稿判別モードが設定されていると判定されると、ステップＳ３７７に進み、自動原稿給送部５１カラー原稿の給送を開始し、この原稿がカラー原稿であるか否かを判定するためのプレ原稿読取を行う。そしてステップＳ３７８において、プレ原稿読取の結果に基づき原稿がカラー原稿であるか否かを判定し、この原稿がカラー原稿であるときには、ステップＳ３７９に進み、この原稿を読み取り、そして、図３７に示すステップＳ３８０に進み、インサータ出力モードが選択されているか否かを判定する。インサータ出力モードが選択されているときには、ステップＳ３８１に進み、画像サイズがシートサイズより小さいか否かを判定する。画像サイズがシートサイズより小さいときには、ステップＳ３８２に進み、原稿カウンタのカウント値が「０」であるか否かを判定する。原稿カウンタのカウント値が「０」であるときには、この原稿が１ページ目に対応する原稿であると判断してステップＳ３８３に進み、画像データに先頭マークデータを付加し、続くステップＳ３８４で先頭マークデータが付加された画像データをメモリに格納する。そして、ステップＳ３８５において原稿カウンタを１インクリメントし、続くステップＳ３８６において、最終原稿の読取が終了したか否かを判定し、最終原稿の読取が終了していないときには、上記ステップＳ３７６に戻り、カラー原稿判別モードが設定されているか否かの判定を行う。
【０２６５】
上記ステップＳ３８１において画像サイズがシートサイズより小さくないときには、先頭データマークを余白領域に付加することができないと判断して上記ステップＳ３８２および３８３をスキップしてステップＳ３８４に進む。また、上記ステップＳ３８２において原稿カウンタのカウント値が「０」でないと判定すると、原稿が１ページ目に対応する原稿でないと判断して上記ステップＳ３８３をスキップしてステップＳ３８４に進む。
【０２６６】
上記ステップＳ３７８において原稿がカラー原稿でないと判定されると、上記ステップＳ３７９〜Ｓ３８５をスキップして上記ステップＳ３８６に進む。すなわち、ここでカラー原稿でないと判定された原稿は読取が行われずにそのまま排紙される。そして、最終原稿の読取が終了すると、ステップＳ３８８に進む。
【０２６７】
ステップＳ３８７では、インサータ出力モードが選択されているか否かを判定し、インサータ出力モードが選択されていないときには、ステップＳ３８９に進み、メモリに格納されている画像を順に読み出してシート上に画像形成を行い、このシートをビンユニット５に出力する。そして、ステップＳ３９０において、ジョブが終了したか否かを判定し、このジョブが終了していないときには、上記ステップＳ３８９に戻る。そして、ジョブが終了すると、上記ステップＳ３７１に戻る。
【０２６８】
上記ステップＳ３８７においてインサータ出力モードが設定されていると判定されると、ステップＳ３８８に進み、Ｓモードが設定されているか否かを判定し、Ｓモードが設定されていると、Ｓモードでのプリント動作へ移行する。このＳモードでのプリント動作は、図２０のフローチャートに示す動作と同じであり、ここでは、そのフローチャートおよび説明を省略する。これに対し、Ｓモードが設定されていないすなわちＦモードが設定されているときには、Ｆモードでのプリント動作を行う。このＦモードでのプリント動作は、図２１のフローチャートに示す動作と同じであり、ここでは、そのフローチャートおよび説明を省略する。
【０２６９】
このように、本実施の形態では、先頭マークデータをシートの余白領域に形成するから、シート上の原稿画像と先頭マークとの重なりで先頭マークが判別し難くなることを回避することができる。
【０２７０】
なお、上述した実施１ないし９の各形態の機能を実現するソフトウェアのプログラムコード（上述の各フローチャートの処理を実行するためのプログラムコード等を含む）を記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることはいうまでもない。
【０２７１】
この場合、記憶媒体から読出されたプログラムコード自体が前述した実施形態の機能を実現することになり、そのプログラムコードを記憶した記憶媒体は本発明を構成することになる。
【０２７２】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０２７３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０２７４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることはいうまでもない。
【０２７５】
また、上述の各実施の形態（形態１ないし９）に関し、カラー画像をシート上に形成可能なカラー画像形成ユニットを具備する画像形成装置１０００において、インサート出力モードの選択時に、カラー原稿と白黒原稿とが混在するカラー白黒混在原稿束の内の、カラーページのみをプリントし、白黒原稿については、プリントしないよう制御しているが、別の形態として、白黒画像をシート上に形成する白黒画像形成ユニットを有する画像形成装置において、インサート出力モードの選択時に、カラー原稿と白黒原稿とが混在するカラー白黒混在原稿束の内の、白黒ページのみをプリントし、カラー原稿については、プリントを禁止するよう制御することで、本発明を適用できる。これにより、例えば、インサータを具備するカラー画像形成装置のインサートビンにセットするためのインサート紙を作成するべく、該カラー画像形成装置のインサータに関する情報や、設定部数等を、インサート出力モードを実行すべき上記白黒画像形成装置の操作部にてインプットし、それを受け、該白黒画像形成装置は、カラー白黒混在原稿束の内の、白黒ページのみをインサート紙としてプリントし、カラー原稿については、プリントを禁止するよう制御して、該インサート紙を、操作部からの情報に基づいて、複数部出力したり、Ｓモード、Ｆモード等の仕分け方法で排紙部に収納させるよう制御する。
【０２７６】
そして、ユーザにより、白黒画像形成装置の原稿積載トレイから該カラー画像形成装置の原稿積載トレイへの原稿束の移送作業を行わせると共に、該白黒画像形成装置にて出力されたインサート紙を、該カラー画像形成装置のインサータビンにセットさせ、インサート処理の設定及び、スタートキーの押下により、インサート処理を実行するように制御することで、上述の形態と同様な効果を得られる。
【０２７７】
また、上述の各実施の形態では、カラー画像が形成された原稿と白黒画像が形成された原稿画像とが混在する原稿束をインサート出力モードで出力する場合の例について主に説明したが、これに限らず、写真原稿と文字原稿とが混在する原稿束を、インサート出力モードにより出力する場合、例えば、該原稿束内の写真画像に相当するページのみをプリントし、文字画像に相当するページはプリントしないよう制御するようにしてもよい。このように、インサート出力モードで処理すべき原稿束が、互いにタイプの異なる原稿が混在する原稿束である場合に、本形態は特に有効である。
【０２７８】
【発明の効果】
以上説明したように、本発明によれば、手間を掛けずに、インサータに適応したインサート紙の出力を得ることができる。
【０２７９】
また、カラー原稿が指定されたインサータ出力モードが設定されると、原稿の中からカラー原稿のみを画像形成出力よう制御する。また、白黒原稿が指定されたインサータ出力モードが設定されると、原稿の中から白黒原稿のみを画像形成出力するよう制御を制御する。
【０２８１】
さらに、インサータ出力モードにより出力されたインサート紙としての出力物を、設定されたモードに従って、１部毎に排紙部に排出することにより、インサート束の取扱いを容易にすることができる。
【０２８２】
また、インサート紙として出力されたシートを排紙部の各ビンにページ順に振り分けて出力する第１の排紙モードと、インサート紙として出力されたシートを部数順に排紙部の各ビンに振り分けて出力する第２の排紙モードとのいずれか一方の排紙モードを含むインサータ出力モードを、操作部からの設定情報等に基づいて、選択的に実行するので、手間を掛けずに、インサータに適応したインサート紙の出力を得ることができる。
【０２８４】
さらに、原稿束内のインサート紙として、像形成すべき原稿の枚数とインサータのトレイ数情報とに基づき第１の排紙モードを実行することが可能な否かを判定し、第１の排紙モードの実行が不可能なときには、第２の排紙モードを設定するから、第１の排紙モードによって同一ページを積載するビンに異なるページを積載することを未然に防止することができる。
【０２８５】
さらに、第１の排紙モードの実行が可能であるときには、第１および第２の排紙モードの両モードが実行可能であるか否かを判定し、第１および第２の排紙モードの両モードが実行可能であるときには、第２の排紙モードを優先的に設定するように構成することができる。また、第１の排紙モードの実行が可能であるときには、第１および第２の排紙モードの両モードが実行可能であるか否かを判定し、第１および第２の排紙モードの両モードが実行可能であるときには、第１の排紙モードを優先的に設定するように構成することができる。さらに、第１の排紙モードの実行が可能であるときには、第１および第２の排紙モードのいずれかを自動的に選択して設定するように構成することができる。
【０２８６】
さらに、シートに付加するためのマーク画像をメモリに保持しておき、インサータ出力モードにより出力される一連のインサートシート束の内の１ページ目に対応するシートに前記マーク画像をプリントすることよって、先頭シートを容易に識別することができ、インサータへの誤セットを極力少なく抑制することができる。
【０２８７】
さらに、メモリに保持されたマーク画像とインサート紙束の１ページ目に対応する原稿の画像とを合成し、この合成画像を前記１ページ目に対応するシート上に形成するように構成することができる。また、マーク画像を１ページ目に対応するシートの少なくとも１つの箇所に付加するように構成することができる。さらに、インサータの機種情報に応じてマーク画像を付加する箇所およびその数を可変するように構成することができる。さらに、マーク画像をシートの余白領域に付加するように構成することができる。
【０２８８】
さらに、設定された出力部数に対して１部枚数分のシートが出力される毎に、インサータ出力モードの実行を一時停止する処理を含むことによって、例えば、インタータを具備する装置のインサータの給紙ビンに１つのシート束単位でセットする際には、複数のシート束を１つのシート束に分ける作業が必要なく、また、シート束の誤った仕分けをなくすことができる。
【０２８９】
さらに、第２の排紙モードは、インサート紙として出力されるシートを部数単位で排紙部の各ビンに振り分けて出力するモードであることによって、この第２の排紙モードにおいて、１部シート束を構成するシートが別々のビンに積載されることはなく、出力されたシート束のインサータを有する装置の該インサータへのセットを誤りなく確実にセットすることができる。
【図面の簡単な説明】
【図１】本発明の画像形成装置の実施の一形態の全体構成を示す模式図である。
【図２】図１の画像形成装置の読取部に設けられている画像信号制御部の構成を示すブロック図である。
【図３】図１の画像形成装置の制御構成を示すブロック図である。
【図４】図１の操作部の外観構成を示す図である。
【図５】図４の操作部のＬＣＤに表示された操作画面の一例を示す図である。
【図６】図１の複写装置におけるインサータ出力モードの手順を示すフローチャートである。
【図７】本発明の画像形成装置の実施の第２形態における操作部の構成を示す図である。
【図８】図７の操作部に表示されたインサータ出力紙モードにおける排紙モード選択画面を示す図である。
【図９】本発明の画像形成装置の実施の第２形態におけるインサータ出力紙モードの手順を示すフローチャートである。
【図１０】本発明の画像形成装置の実施の第２形態におけるインサータ出力紙モードの手順を示すフローチャートである。
【図１１】本発明の画像形成装置の実施の第２形態におけるインサータ出力紙モードの手順を示すフローチャートである。
【図１２】本発明の画像形成装置の実施の第２形態におけるインサータ出力紙モードの排紙モードによる排紙形態例を示す図である。
【図１３】本発明の画像形成装置の実施の第３形態におけるインサータ出力モードの手順を示すフローチャートである。
【図１４】図１３のステップＳ８８のＦ／Ｓモード判別処理の手順を示すフローチャートである。
【図１５】本発明の画像形成装置の実施の第４形態におけるインサータ出力モードのＦ／Ｓモード判別処理の手順を示すフローチャートである。
【図１６】本発明の画像形成装置の実施の第５形態におけるインサータ出力モードのＦ／Ｓモード判別処理の手順を示すフローチャートである。
【図１７】本発明の画像形成装置の実施の第６形態におけるインサータ出力モードの先頭マークの付加例を示す図である。
【図１８】本発明の画像形成装置の実施の第６形態におけるインサータ出力モードの手順を示すフローチャートである。
【図１９】本発明の画像形成装置の実施の第６形態におけるインサータ出力モードの手順を示すフローチャートである。
【図２０】本発明の画像形成装置の実施の第６形態におけるインサータ出力モードの手順を示すフローチャートである。
【図２１】本発明の画像形成装置の実施の第６形態におけるインサータ出力モードの手順を示すフローチャートである。
【図２２】本発明の画像形成装置の実施の第７形態におけるインサータ出力紙モードの手順を示すフローチャートである。
【図２３】本発明の画像形成装置の実施の第７形態におけるインサータ出力紙モードの手順を示すフローチャートである。
【図２４】本発明の画像形成装置の実施の第７形態におけるインサータ出力紙モードの手順を示すフローチャートである。
【図２５】本発明の画像形成装置の実施の第７形態におけるインサータ出力紙モードの手順を示すフローチャートである。
【図２６】本発明の画像形成装置の実施の第７形態におけるインサータ出力紙モードの手順を示すフローチャートである。
【図２７】シートの排紙形態に関する課題例を示す図である。
【図２８】本発明の画像形成装置の実施の第８形態における排紙形態例を示す図である。
【図２９】本発明の画像形成装置の実施の第８形態におけるインサータ出力モードの手順を示すフローチャートである。
【図３０】本発明の画像形成装置の実施の第８形態におけるインサータ出力モードの手順を示すフローチャートである。
【図３１】図３０のステップＳ２５４のＳモードでのプリント動作を示すフローチャートである。
【図３２】図３０のステップＳ２５５のＦモードでのプリント動作を示すフローチャートである。
【図３３】図３０のステップＳ２５８のＦモードでのプリント動作を示すフローチャートである。
【図３４】図３０のステップＳ２５８のＦモードでのプリント動作を示すフローチャートである。
【図３５】本発明の画像形成装置の実施の第９形態におけるインサータ出力モードの先頭マークの付加例を示す図である。
【図３６】本発明の画像形成装置の実施の第９形態におけるインサータ出力モードの手順を示すフローチャートである。
【図３７】本発明の画像形成装置の実施の第９形態におけるインサータ出力モードの手順を示すフローチャートである。
【図３８】図１の画像形成装置と組み合わせて用いられる１ビンインサータを有する画像形成装置の主要部構成を模式的に示す図である。
【図３９】図１の画像形成装置と組み合わせて用いられる３ビンインサータを有する画像形成装置の主要部構成を模式的に示す図である。
【符号の説明】
５  ビンユニット
３１  積載ビン
４０  操作部
１０１  読取部
１０２  画像形成部
１０３  シート処理部
２００  ＣＰＵ回路部
２０１  操作制御部
２０２  読取制御部
２０４  画像形成制御部
２０５  シート処理制御部
１０００  画像形成装置
１００１ａ，１００１ｂ  画像形成装置（他の画像形成装置）
２００１  メモリ
２００２  ＣＰＵ
【図１】
0003890198.tif 000002
【図２】
0003890198.tif 000003
【図３】
0003890198.tif 000004
【図４】
0003890198.tif 000005
【図５】
0003890198.tif 000006
【図６】
0003890198.tif 000007
【図７】
0003890198.tif 000008
【図８】
0003890198.tif 000009
【図９】
0003890198.tif 000010
【図１０】
0003890198.tif 000011
【図１１】
0003890198.tif 000012
【図１２】
0003890198.tif 000013
【図１３】
0003890198.tif 000014
【図１４】
0003890198.tif 000015
【図１５】
0003890198.tif 000016
【図１６】
0003890198.tif 000017
【図１７】
0003890198.tif 000018
【図１８】
0003890198.tif 000019
【図１９】
0003890198.tif 000020
【図２０】
0003890198.tif 000021
【図２１】
0003890198.tif 000022
【図２２】
0003890198.tif 000023
【図２３】
0003890198.tif 000024
【図２４】
0003890198.tif 000025
【図２５】
0003890198.tif 000026
【図２６】
0003890198.tif 000027
【図２７】
0003890198.tif 000028
【図２８】
0003890198.tif 000029
【図２９】
0003890198.tif 000030
【図３０】
0003890198.tif 000031
【図３１】
0003890198.tif 000032
【図３２】
0003890198.tif 000033
【図３３】
0003890198.tif 000034
【図３４】
0003890198.tif 000035
【図３５】
0003890198.tif 000036
【図３６】
0003890198.tif 000037
【図３７】
0003890198.tif 000038
【図３８】
0003890198.tif 000039
【図３９】
0003890198.tif 000040